(57)【要約】【課題】色が変化するような色追加処理が行われても所望の色調整を実現できるようにするための技術を提供する。【解決手段】色補正処理と色追加処理とを行ってＦＲＧＢデータを生成し、ＦＲＧＢデータに応じてＲ副画素とＧ副画素とＢ副画素とＦ副画素とを備える表示パネルを駆動するように構成された表示ドライバに色補正パラメータを設定する設定方法が提供される。当該設定方法は、Ｆ副画素を最大階調値に対応する駆動信号で駆動したときに表示パネルに表示される色の色座標データを取得するステップと、評価対象色補正パラメータを決定するステップと、校正対象ＲＧＢデータに対して評価対象色補正パラメータに基づいて色補正処理を行い、更に、色追加処理を行って評価対象ＦＲＧＢデータを生成するステップと、評価対象ＦＲＧＢデータと色座標データとに基づいて評価対象色補正パラメータが適正か否かを判断するステップとを具備する。【選択図】図８
2019003128.tif 000002
【特許請求の範囲】
【請求項１】
複数の画素を含み、前記複数の画素のそれぞれが、原色Ｒを表示するＲ副画素と、原色Ｇを表示するＧ副画素と、原色Ｂを表示するＢ副画素と、原色Ｒ、原色Ｇ、原色Ｂ以外の色である追加色を表示するＦ副画素とを備える表示パネルに対応する表示ドライバであって、ＲＧＢデータに対して色補正パラメータに応じて色補正処理を行って色補正後ＲＧＢデータを生成し、前記色補正後ＲＧＢデータに対して色追加処理を行って前記Ｆ副画素の階調を指定するＦ階調値と前記Ｒ副画素の階調を指定するＲ階調値と前記Ｇ副画素の階調を指定するＧ階調値と前記Ｂ副画素の階調を指定するＢ階調値とを含むＦＲＧＢデータを生成し、前記ＦＲＧＢデータに応じて前記表示パネルを駆動するように構成された表示ドライバに前記色補正パラメータを設定する設定方法であって、
前記Ｒ副画素、前記Ｇ副画素及び前記Ｂ副画素を最小階調値に対応する駆動信号で駆動し、前記Ｆ副画素を最大階調値に対応する駆動信号で駆動したときに前記表示パネルに表示される第１表示色の、所定の色空間における色座標を示す第１色座標データを取得するステップと、
評価対象色補正パラメータを決定するステップと、
校正対象ＲＧＢデータに対して前記評価対象色補正パラメータに基づいて前記色補正処理を行って評価対象色補正後ＲＧＢデータを生成するステップと、
前記評価対象色補正後ＲＧＢデータに対して前記色追加処理を行って評価対象ＦＲＧＢデータを生成するステップと、
前記評価対象ＦＲＧＢデータと前記第１色座標データとに基づいて前記評価対象色補正パラメータが適正か否かを判断するステップと、
前記評価対象色補正パラメータが適正であると判断した場合に、前記評価対象色補正パラメータを前記表示ドライバに設定すべき前記色補正パラメータとして決定するステップ
とを具備する
表示ドライバの設定方法。
【請求項２】
請求項１に記載の表示ドライバの設定方法であって、
前記評価対象色補正パラメータが適正か否かを判断するステップは、
前記評価対象ＦＲＧＢデータと前記第１色座標データとに基づいて、前記評価対象ＦＲＧＢデータに応じて前記表示パネルが駆動されたときに前記表示パネルに表示される色の原色Ｒ、原色Ｇ、原色Ｂの成分を示すＲＧＢ輝度成分データを算出するステップと、
前記ＲＧＢ輝度成分データに基づいて前記評価対象色補正パラメータが適正か否かを判断するステップ
とを含む
表示ドライバの設定方法。
【請求項３】
請求項２に記載の表示ドライバの設定方法であって、
更に、
前記校正対象ＲＧＢデータに対応する目標ＲＧＢデータを用意するステップ
を具備し、
前記ＲＧＢ輝度成分データに基づいて前記評価対象色補正パラメータが適正か否かを判断するステップは、
前記ＲＧＢ輝度成分データと前記目標ＲＧＢデータとの類似度に基づいて前記評価対象色補正パラメータが適正か否かを判断するステップを含む
表示ドライバの設定方法。
【請求項４】
請求項２又は３に記載の表示ドライバの設定方法であって、
更に、
前記Ｒ副画素、前記Ｇ副画素及び前記Ｂ副画素を前記最小階調値に対応する駆動信号で駆動し、前記Ｆ副画素を前記最大階調値に対応する駆動信号で駆動したときに前記表示パネルに表示される前記第１表示色のＸＹＺ表色系における色座標に、前記Ｆ副画素を用いずに前記Ｒ副画素、前記Ｇ副画素及び前記Ｂ副画素を用いて画像を表示した場合の前記表示パネルの表示特性を示すＸＹＺ−ＲＧＢ変換マトリクスを作用することにより、前記第１表示色の原色Ｒの成分を表す値ＦＲ、前記追加色の原色Ｇの成分を表す値ＦＧ、及び前記追加色の原色Ｂの成分を表す値ＦＢを算出するステップを具備し、
前記ＲＧＢ輝度成分データが、前記評価対象ＦＲＧＢデータと前記値ＦＲ、値ＦＧ、値ＦＢとに基づいて算出される
表示ドライバの設定方法。
【請求項５】
請求項４に記載の表示ドライバの設定方法であって、
前記ＲＧＢ輝度成分データは、
前記評価対象ＦＲＧＢデータに応じて前記表示パネルが駆動されたときに前記表示パネルに表示される色の原色Ｒの成分を示す値Ｒｒと、
前記評価対象ＦＲＧＢデータに応じて前記表示パネルが駆動されたときに前記表示パネルに表示される色の原色Ｇの成分を示す値Ｇｒと、
前記評価対象ＦＲＧＢデータに応じて前記表示パネルが駆動されたときに前記表示パネルに表示される色の原色Ｂの成分を示す値Ｂｒ
とを含み、
前記評価対象ＦＲＧＢデータは、
前記Ｆ副画素の階調値Ｆａと、
前記Ｒ副画素の階調値Ｒａと、
前記Ｇ副画素の階調値Ｇａと、
前記Ｂ副画素の階調値Ｂａ
とを含み、
前記値Ｒｒ、前記値Ｇｒ及び前記値Ｂｒが、前記最大階調値をＦＲＧＢＭＡＸとし、前記表示装置に設定されるガンマ値をγとして、下記式（１ａ）〜（１ｃ）：
【数１】
2019003128.tif 000016
に従って算出される
表示ドライバの設定方法。
【請求項６】
請求項１に記載の表示ドライバの設定方法であって、
更に、
前記Ｒ副画素、前記Ｇ副画素及び前記Ｂ副画素を前記最小階調値に対応する駆動信号で駆動し、前記Ｆ副画素を前記最小階調値より大きく前記最大階調値より小さい中間階調値に対応する駆動信号で駆動したときに前記表示パネルに表示される第２表示色の、前記色空間における色座標を示す第２色座標データを取得するステップを更に具備し、
前記評価対象色補正パラメータが適正か否かを判断するステップにおいて、前記評価対象ＦＲＧＢデータと前記第１色座標データと前記第２色座標データとに基づいて前記評価対象色補正パラメータが適正か否かが判断される
表示ドライバの設定方法。
【請求項７】
請求項６に記載の表示ドライバの設定方法であって、
前記評価対象色補正パラメータが適正か否かを判断するステップは、
前記評価対象ＦＲＧＢデータと前記第１色座標データと前記第２色座標データとに基づいて、前記評価対象ＦＲＧＢデータに応じて前記表示パネルが駆動されたときに前記表示パネルに表示される色の原色Ｒ、原色Ｇ、原色Ｂの成分を示すＲＧＢ輝度成分データを算出するステップと、
前記ＲＧＢ輝度成分データに基づいて前記評価対象色補正パラメータが適正か否かを判断するステップ
とを含む
表示ドライバの設定方法。
【請求項８】
請求項７に記載の表示ドライバの設定方法であって、
更に、
前記校正対象ＲＧＢデータに対応する目標ＲＧＢデータを用意するステップ
を具備し、
前記ＲＧＢ輝度成分データに基づいて前記評価対象色補正パラメータが適正か否かを判断するステップは、
前記ＲＧＢ輝度成分データと前記目標ＲＧＢデータとの類似度に基づいて前記評価対象色補正パラメータが適正か否かを判断するステップを含む
表示ドライバの設定方法。
【請求項９】
請求項７又は８に記載の表示ドライバの設定方法であって、
更に、
前記Ｒ副画素、前記Ｇ副画素及び前記Ｂ副画素を前記最小階調値に対応する駆動信号で駆動し、前記Ｆ副画素を前記最大階調値に対応する駆動信号で駆動したときに前記表示パネルに表示される前記第１表示色のＸＹＺ表色系における色座標に、前記Ｆ副画素を用いずに前記Ｒ副画素、前記Ｇ副画素及び前記Ｂ副画素を用いて画像を表示した場合の前記表示パネルの表示特性を示すＸＹＺ−ＲＧＢ変換マトリクスを作用することにより、前記第１表示色の原色Ｒの成分を表す値ＦＲｍａｘ、前記追加色の原色Ｇの成分を表す値ＦＧｍａｘ、及び前記追加色の原色Ｂの成分を表す値ＦＢｍａｘを算出するステップと、
前記Ｒ副画素、前記Ｇ副画素及び前記Ｂ副画素を前記最小階調値に対応する駆動信号で駆動し、前記Ｆ副画素を前記中間階調値に対応する駆動信号で駆動したときに前記表示パネルに表示される前記第２表示色のＸＹＺ表色系における色座標に、前記ＸＹＺ−ＲＧＢ変換マトリクスを作用することにより、前記第２表示色の原色Ｒの成分を表す値ＦＲｍｉｄ、前記追加色の原色Ｇの成分を表す値ＦＧｍｉｄ、及び前記追加色の原色Ｂの成分を表す値ＦＢｍｉｄを算出するステップと、
を具備し、
前記ＲＧＢ輝度成分データが、前記評価対象ＦＲＧＢデータ、前記値ＦＲｍａｘ、前記値ＦＧｍａｘ、値ＦＢｍａｘ、前記値ＦＲｍｉｄ、前記値ＦＧｍｉｄ及び値ＦＢｍｉｄに基づいて算出される
表示ドライバの設定方法。
【請求項１０】
請求項９に記載の表示ドライバの設定方法であって、
前記ＲＧＢ輝度成分データは、
前記評価対象ＦＲＧＢデータに応じて前記表示パネルが駆動されたときに前記表示パネルに表示される色の原色Ｒの成分を示す値Ｒｒと、
前記評価対象ＦＲＧＢデータに応じて前記表示パネルが駆動されたときに前記表示パネルに表示される色の原色Ｇの成分を示す値Ｇｒと、
前記評価対象ＦＲＧＢデータに応じて前記表示パネルが駆動されたときに前記表示パネルに表示される色の原色Ｂの成分を示す値Ｂｒ
とを含み、
前記評価対象ＦＲＧＢデータは、
前記Ｆ副画素の階調値Ｆａと、
前記Ｒ副画素の階調値Ｒａと、
前記Ｇ副画素の階調値Ｇａと、
前記Ｂ副画素の階調値Ｂａ
とを含み、
前記ＲＧＢ輝度成分データを算出するステップが、
前記中間階調値をｍｉｄとし、前記最大階調値をＦＲＧＢＭＡＸとして、下記式（２ａ）〜（２ｃ）： 
【数２】
2019003128.tif 000017
に従って算出される値ＦＲｉｎｔｐ、値ＦＧｉｎｔｐ、値ＦＧｉｎｔｐと、前記表示装置に設定されるガンマ値γとを用いて、前記値Ｒｒ、前記値Ｇｒ及び前記値Ｂｒを、下記式（３ａ）〜（３ｃ）：
【数３】
2019003128.tif 000018
に従って算出するステップ
を含む
表示ドライバの設定方法。
【請求項１１】
複数の画素を含み、前記複数の画素のそれぞれが、原色Ｒを表示するＲ副画素と、原色Ｇを表示するＧ副画素と、原色Ｂを表示するＢ副画素と、原色Ｒ、原色Ｇ、原色Ｂ以外の色である追加色を表示するＦ副画素とを備える表示パネルに対応する表示ドライバであって、ＲＧＢデータに対して色補正パラメータに応じて色補正処理を行って色補正後ＲＧＢデータを生成し、前記色補正後ＲＧＢデータに対して色追加処理を行って前記Ｆ副画素の階調を指定するＦ階調値と前記Ｒ副画素の階調を指定するＲ階調値と前記Ｇ副画素の階調を指定するＧ階調値と前記Ｂ副画素の階調を指定するＢ階調値とを含むＦＲＧＢデータを生成し、前記ＦＲＧＢデータに応じて前記表示パネルを駆動するように構成された表示ドライバに前記色補正パラメータを設定する色調整装置であって、
演算装置と、
インターフェース
とを具備し、
前記演算装置は、
前記Ｒ副画素、前記Ｇ副画素及び前記Ｂ副画素を最小階調値に対応する駆動信号で駆動し、前記Ｆ副画素を最大階調値に対応する駆動信号で駆動したときに前記表示パネルに表示される第１表示色の、所定の色空間における色座標を示す第１色座標データを取得し、
評価対象色補正パラメータを決定し、
校正対象ＲＧＢデータに対して前記評価対象色補正パラメータに基づいて前記色補正処理を行って評価対象色補正後ＲＧＢデータを生成し、
前記評価対象色補正後ＲＧＢデータに対して前記色追加処理を行って評価対象ＦＲＧＢデータを生成し、
前記評価対象ＦＲＧＢデータと前記第１色座標データとに基づいて前記評価対象色補正パラメータが適正か否かを判断し、
前記評価対象色補正パラメータが適正であると判断した場合に、前記評価対象色補正パラメータを前記表示ドライバに設定すべき前記色補正パラメータとして決定するように構成され、
前記インターフェースは、前記色補正パラメータを前記表示ドライバに送信する
色調整装置。
【請求項１２】
請求項１１に記載の色調整装置であって、
前記演算装置は、前記評価対象ＦＲＧＢデータに応じて前記表示パネルが駆動されたときに前記表示パネルに表示される色の原色Ｒ、原色Ｇ、原色Ｂの成分を示すＲＧＢ輝度成分データを、前記評価対象ＦＲＧＢデータと前記第１色座標データとに基づいて算出し、前記ＲＧＢ輝度成分データに基づいて前記評価対象色補正パラメータが適正か否かを判断するように構成された
色調整装置。
【請求項１３】
請求項１２に記載の色調整装置であって、
更に、前記校正対象ＲＧＢデータに対応する目標ＲＧＢデータを記憶する記憶装置
を具備し、
前記演算装置は、前記ＲＧＢ輝度成分データと前記目標ＲＧＢデータとの類似度に基づいて前記評価対象色補正パラメータが適正か否かを判断する
色調整装置。
【請求項１４】
複数の画素を含み、前記複数の画素のそれぞれが、原色Ｒを表示するＲ副画素と、原色Ｇを表示するＧ副画素と、原色Ｂを表示するＢ副画素と、原色Ｒ、原色Ｇ、原色Ｂ以外の色である追加色を表示するＦ副画素とを備える表示パネルに対応する表示ドライバであって、ＲＧＢデータに対して色補正パラメータに応じて色補正処理を行って色補正後ＲＧＢデータを生成し、前記色補正後ＲＧＢデータに対して色追加処理を行って前記Ｆ副画素の階調を指定するＦ階調値と前記Ｒ副画素の階調を指定するＲ階調値と前記Ｇ副画素の階調を指定するＧ階調値と前記Ｂ副画素の階調を指定するＢ階調値とを含むＦＲＧＢデータを生成し、前記ＦＲＧＢデータに応じて前記表示パネルを駆動するように構成された表示ドライバに前記色補正パラメータを設定するためのプログラムであって、
演算装置に、下記ステップ：
前記Ｒ副画素、前記Ｇ副画素及び前記Ｂ副画素を最小階調値に対応する駆動信号で駆動し、前記Ｆ副画素を最大階調値に対応する駆動信号で駆動したときに前記表示パネルに表示される表示色の、所定の色空間における色座標を示す色座標データを取得するステップ、
評価対象色補正パラメータを決定するステップ、
校正対象ＲＧＢデータに対して前記評価対象色補正パラメータに基づいて前記色補正処理を行って評価対象色補正後ＲＧＢデータを生成するステップと、
前記評価対象色補正後ＲＧＢデータに対して前記色追加処理を行って評価対象ＦＲＧＢデータを生成するステップ、
前記評価対象ＦＲＧＢデータと前記色座標データとに基づいて前記評価対象色補正パラメータが適正か否かを判断するステップ、及び、
前記評価対象色補正パラメータが適正であると判断した場合に、前記評価対象色補正パラメータを前記表示ドライバに設定すべき前記色補正パラメータとして決定するステップ
を実行させる
プログラム。
【請求項１５】
請求項１４に記載のプログラムであって、
前記評価対象色補正パラメータが適正か否かを判断するステップは、
前記評価対象ＦＲＧＢデータに応じて前記表示パネルが駆動されたときに前記表示パネルに表示される色の原色Ｒ、原色Ｇ、原色Ｂの成分を示すＲＧＢ輝度成分データを、前記評価対象ＦＲＧＢデータと前記色座標データとに基づいて算出するステップと、
前記ＲＧＢ輝度成分データに基づいて前記評価対象色補正パラメータが適正か否かを判断するステップ
とを含む
プログラム。
【請求項１６】
請求項１５に記載のプログラムであって、
前記ＲＧＢ輝度成分データに基づいて前記評価対象色補正パラメータが適正か否かを判断するステップは、
前記演算装置の記憶装置に格納された目標ＲＧＢデータと前記ＲＧＢ輝度成分データとの類似度に基づいて前記評価対象色補正パラメータが適正か否かを判断するステップを含む
プログラム。
【請求項１７】
複数の画素を含み、前記複数の画素のそれぞれが、原色Ｒを表示するＲ副画素と、原色Ｇを表示するＧ副画素と、原色Ｂを表示するＢ副画素と、原色Ｒ、原色Ｇ、原色Ｂ以外の色である追加色を表示するＦ副画素とを備える表示パネルと、
前記表示パネルを駆動する表示ドライバと、
ホスト
とを具備し、
前記表示ドライバは、
ＲＧＢデータに対して色補正パラメータに応じて色補正処理を行って色補正後ＲＧＢデータを生成する色補正回路と、
前記色補正後ＲＧＢデータに対して色追加処理を行って前記Ｆ副画素の階調を指定するＦ階調値と前記Ｒ副画素の階調を指定するＲ階調値と前記Ｇ副画素の階調を指定するＧ階調値と前記Ｂ副画素の階調を指定するＢ階調値とを含むＦＲＧＢデータを生成する色追加回路と、
前記ＦＲＧＢデータに応じて前記表示パネルを駆動する駆動部と、
前記Ｒ副画素、前記Ｇ副画素及び前記Ｂ副画素を最小階調値に対応する駆動信号で駆動し、前記Ｆ副画素を最大階調値に対応する駆動信号で駆動したときに前記表示パネルに表示される表示色の、所定の色空間における色座標を示す色座標データを不揮発的に記憶する不揮発性メモリ
とを備え、
前記ホストは、前記表示ドライバから前記色座標データを受け取り、評価対象色補正パラメータを決定し、校正対象ＲＧＢデータに対して前記評価対象色補正パラメータに基づいて前記色補正処理を行って評価対象色補正後ＲＧＢデータを生成し、前記評価対象色補正後ＲＧＢデータに対して前記色追加処理を行って評価対象ＦＲＧＢデータを生成し、前記評価対象ＦＲＧＢデータと前記色座標データとに基づいて前記評価対象色補正パラメータが適正か否かを判断し、前記評価対象色補正パラメータが適正であると判断した場合に、前記評価対象色補正パラメータを前記表示ドライバに設定すべき前記色補正パラメータとして決定し、前記表示ドライバに設定すべき前記色補正パラメータを前記表示ドライバに転送するように構成された
表示システム。
【請求項１８】
請求項１７に記載の表示システムであって、
前記ホストは、前記評価対象ＦＲＧＢデータに応じて前記表示パネルが駆動されたときに前記表示パネルに表示される色の原色Ｒ、原色Ｇ、原色Ｂの成分を示すＲＧＢ輝度成分データを、前記評価対象ＦＲＧＢデータと前記色座標データとに基づいて算出し、前記ＲＧＢ輝度成分データに基づいて前記評価対象色補正パラメータが適正か否かを判断するように構成された
表示システム。
【請求項１９】
請求項１８に記載の表示システムであって、
前記ホストは、前記校正対象ＲＧＢデータに対応する目標ＲＧＢデータを記憶しており、
前記ホストは、前記ＲＧＢ輝度成分データと前記目標ＲＧＢデータとの類似度に基づいて前記評価対象色補正パラメータが適正か否かを判断する
表示システム。
【発明の詳細な説明】
【技術分野】
【０００１】
本発明は、表示ドライバの設定方法、色調整装置、プログラム及び表示システムに関し、特に、色調整処理と色追加処理とを行うように構成された表示ドライバを設定する方法及び装置に関する。
【背景技術】
【０００２】
最も典型的な画像データの形式の一つが、ＲＧＢ形式である。ＲＧＢ形式の画像データは、画像の各画素について原色Ｒ、原色Ｇ及び原色Ｂの階調を指定する階調値を記述する形式を有している。最も典型的には、原色Ｒ、原色Ｇ及び原色Ｂの階調値が、それぞれ、８ビットで記述される。以下では、ＲＧＢ形式の画像データを、単に、ＲＧＢデータということがある。
【０００３】
一方で、近年の表示パネル（例えば、液晶表示パネルやＯＬＥＤ（organic light emitting diode）表示パネル）は、画質を向上するために、各画素が、原色Ｒを表示するＲ副画素、原色Ｇを表示するＧ副画素、原色Ｂを表示するＢ副画素に加え、原色Ｒ、Ｇ、Ｂ以外の追加の色を表示する追加の副画素を含んでいることがある。当該追加の色としては、例えば、黄色Ｙ、水色Ｃ、白色Ｗが用いられ得る。以下では、当該追加の色を記号“Ｆ”によって表すこととし、色Ｆを表示する副画素をＦ副画素と記載することがある。
【０００４】
ＲＧＢデータに応じて各画素がＲ副画素、Ｇ副画素、Ｂ副画素に加えてＦ副画素を備える表示パネルに画像を表示する場合、当該ＲＧＢデータに対して色追加処理が行われることがある。ＲＧＢデータにはＦ副画素の階調値は記述されていないから、ＲＧＢデータに応じてＦ副画素を備える表示パネルに画像を表示する場合、ＲＧＢデータから、Ｒ副画素、Ｇ副画素、Ｂ副画素、Ｆ副画素の階調値を記述する画像データを生成するデジタル画像処理を行う必要がある。このようなデジタル画像処理が、本明細書でいう色追加処理である。色追加処理を適正に設計することは、表示パネルの画質を向上するために有用である。なお、以下において、各画素のＲ副画素、Ｇ副画素、Ｂ副画素、Ｆ副画素の階調値を記述する形式の画像データを、ＦＲＧＢデータということがある。本明細書においては、色追加処理とは、ＲＧＢデータからＦＲＧＢデータを生成する画像処理を指すことになる。
【０００５】
表示パネルの画質の向上に寄与する他の技術として、色補正処理が挙げられる。色補正処理は、表示パネルの色調整（表示パネルに表示される色の調整）のために画像データに対して行われるデジタル画像処理である。色補正処理は、例えば、画像データの生成において用いられる色域と、表示パネルに表示される画像の色域とを一致させる色域調整(color space management)のために行われる。画像データの生成において用いられる色域（例えば、ｓＲＧＢ規格やＡｄｏｂｅＲＧＢ規格に規定された色域）と表示パネルに表示される画像の色域とが相違していると、画像データの生成において意図されていた色と異なる色が表示パネルに表示されることになる。これは、画質の向上の観点で好ましくない。色域調整は、画像データの生成において意図された色で表示パネルに画像を表示するために行われる。
【０００６】
発明者が見出した問題の一つは、色追加処理と色補正処理（例えば、色域調整）とを個別に行うことは、画質や回路特性を劣化させ得るということである。
【０００７】
図１は、ＲＧＢデータに応じて各画素がＲ副画素、Ｇ副画素、Ｂ副画素及びＦ副画素を備えている表示パネルに画像を表示する場合に行われる画像処理の一例を示している。図１に図示されている画像処理では、ＲＧＢデータに対して色追加処理を行うことでＦＲＧＢデータを生成し、そのＦＲＧＢデータに対して色域調整を行うことで色調整後ＦＲＧＢデータを生成し、その色調整後ＦＲＧＢデータに対してガンマ補正を行うことでガンマ補正後ＦＲＧＢデータを生成する。表示パネルは、ガンマ補正後ＦＲＧＢデータに応じて駆動される。
【０００８】
図１の画像処理では、ＦＲＧＢデータに対応した色域調整の技術が必要になるが、ＦＲＧＢデータに対応した色域調整の技術は知られていない。また、図１の画像処理を行う場合、色域調整において４色の階調値を記述した画像データを取り扱うことになるので、ＲＧＢデータに対して色域調整を行う場合に比べて回路規模や消費電力が単純計算で３３％増大する。
【０００９】
図２は、ＲＧＢデータに応じて各画素がＲ副画素、Ｇ副画素、Ｂ副画素及びＦ副画素を備えている表示パネルに画像を表示する場合に行われる画像処理の他の例を示している。図２に図示されている画像処理では、ＲＧＢデータに対して色域調整を行うことで色調整後ＲＧＢデータを生成し、その色調整後ＲＧＢデータに対して色追加処理を行うことでＦＲＧＢデータを生成し、そのＦＲＧＢデータに対してガンマ補正を行うことでガンマ補正後ＦＲＧＢデータを生成する。表示パネルは、ガンマ補正後ＦＲＧＢデータに応じて駆動される。図２の画像処理では、従来知られている色域調整の技術が適用可能であり、また、回路規模や消費電力の増大も抑制できる。
【００１０】
図２の画像処理における一つの問題は、色追加処理において色が変化する可能性があることである。追加の色Ｆが白色Ｗである場合に最も典型的に行われる色追加処理は、ＲＧＢデータに記述されているＲ副画素、Ｇ副画素、Ｂ副画素の階調値のうちの最小値を白色Ｗの階調値として決定すると共に、色追加処理後の画像データのＲ副画素、Ｇ副画素、Ｂ副画素の階調値を、元のＲＧＢデータのＲ副画素、Ｇ副画素、Ｂ副画素の階調値から当該最小値を減じることで算出する処理である。しかしながら、このような色追加処理では、色が変化してしまう。色追加処理において色が変化すると、色補正処理によって実現されるべき色調整（例えば、色域調整）の成果が失われ、画質が劣化してしまう。
【００１１】
したがって、色が変化するような色追加処理が行われても所望の色調整（例えば、所望の色域調整）を実現できるようにするための技術を提供することには、技術的なニーズが存在する。
【００１２】
なお、色域調整及び色追加処理に関連して、下記の技術が公知である。
【００１３】
特開２００８−４０３０５号公報は、ＲＧＢ−ＸＹＺ変換、ＸＹＺ−ＬＭＳ変換、色補正、ＬＭＳ−ＸＹＺ変換、ＸＹＺ−ＲＧＢ変換を順次に行って色合いを加工する技術を開示している。
【００１４】
特開２００８−１４１７２３号公報は、ＹＣｂＣｒデータに対して、ＹＣｂＣｒ−ＲＧＢ変換、ＲＧＢ−ＲＧＢ変換を行うことで、ＡｄｏｂｅＲＧＢ規格に規定された色域を実現する技術を開示している。
【００１５】
特開２００２−１１６７５０号公報は、マトリックス変換によって色域を調整する技術を開示している。
【００１６】
国際公開第２０１２／１３７８１９号は、色追加処理に関して、画素毎にＲＧＢデータをＲＧＢＸデータに変換する際に、白（Ｗ）の輝度を、当該画素を含む所定領域に含まれる画素の白（Ｗ）の輝度と略同一となるように決定する技術を開示している。
【００１７】
特開２００６−１３３７１１号公報は、ＲＧＢ入力信号からＲＧＢＷ信号を算出する色追加処理を開示している。この公報に開示されている色追加処理は、ＲＧＢ入力信号の最小値を決定するステップ、ＲＧＢ入力信号から該最小値を減算するステップ、ＲＧＢ入力信号が該最小値である場合に対応するＲＧＢＷ信号を算出するステップ、算出されたＲＧＢＷ信号に対して、ＲＧＢ入力信号から該最小値を減算するステップで得られたＲＧＢ信号の対応する信号を加算することにより、最終的に出力すべきＲＧＢＷ信号を求めるステップを備えている。
【００１８】
特開２００８−１３１３４９号公報は、デバイスデータに基づく最外殻面の計算、ＲＧＢの減色ベクトルを彩度方向に拡大する原色拡大処理、ＲＧＢＷ−ＸＹＺ−ＲＧＢ変換処理、ＲＧＢＷ分離処理及びＷ値調整処理を順次に行う色追加処理を開示している。
【先行技術文献】
【特許文献】
【００１９】
【特許文献１】特開２００８−４０３０５号公報
【特許文献２】特開２００８−１４１７２３号公報
【特許文献３】特開２００２−１１６７５０号公報
【特許文献４】国際公開第２０１２／１３７８１９号
【特許文献５】特開２００６−１３３７１１号公報
【特許文献６】特開２００８−１３１３４９号公報
【発明の概要】
【発明が解決しようとする課題】
【００２０】
したがって、本発明の目的の一つは、色が変化するような色追加処理が行われても所望の色調整（例えば、所望の色域調整）を実現できるようにするための技術を提供することにある。本発明の他の目的及び新規な特徴は、以下の開示から当業者には理解されるであろう。
【課題を解決するための手段】
【００２１】
本発明の一の観点では、複数の画素を含み、複数の画素のそれぞれが、原色Ｒを表示するＲ副画素と、原色Ｇを表示するＧ副画素と、原色Ｂを表示するＢ副画素と、原色Ｒ、原色Ｇ、原色Ｂ以外の色である追加色を表示するＦ副画素とを備える表示パネルに対応する表示ドライバであって、ＲＧＢデータに対して色補正パラメータに応じて色補正処理を行って色補正後ＲＧＢデータを生成し、色補正後ＲＧＢデータに対して色追加処理を行ってＦ副画素の階調を指定するＦ階調値とＲ副画素の階調を指定するＲ階調値とＧ副画素の階調を指定するＧ階調値とＢ副画素の階調を指定するＢ階調値とを含むＦＲＧＢデータを生成し、ＦＲＧＢデータに応じて表示パネルを駆動するように構成された表示ドライバに色補正パラメータを設定する設定方法が提供される。当該設定方法は、
Ｒ副画素、Ｇ副画素及びＢ副画素を最小階調値に対応する駆動信号で駆動し、Ｆ副画素を最大階調値に対応する駆動信号で駆動したときに表示パネルに表示される第１表示色の、所定の色空間における色座標を示す第１色座標データを取得するステップと、
評価対象色補正パラメータを決定するステップと、
校正対象ＲＧＢデータに対して評価対象色補正パラメータに基づいて色補正処理を行って評価対象色補正後ＲＧＢデータを生成するステップと、
評価対象色補正後ＲＧＢデータに対して色追加処理を行って評価対象ＦＲＧＢデータを生成するステップと、
評価対象ＦＲＧＢデータと第１色座標データとに基づいて評価対象色補正パラメータが適正か否かを判断するステップと、
評価対象色補正パラメータが適正であると判断した場合に、評価対象色補正パラメータを表示ドライバに設定すべき色補正パラメータとして決定するステップ
とを具備する。
【００２２】
本発明の他の観点では、上記された表示ドライバに色補正パラメータを設定する色調整装置が提供される。当該色調整装置は、演算装置とインターフェースとを具備する。演算装置は、Ｒ副画素、Ｇ副画素及びＢ副画素を最小階調値に対応する駆動信号で駆動し、Ｆ副画素を最大階調値に対応する駆動信号で駆動したときに表示パネルに表示される表示色の、所定の色空間における色座標を示す色座標データを取得し、評価対象色補正パラメータを決定し、校正対象ＲＧＢデータに対して評価対象色補正パラメータに基づいて色補正処理を行って評価対象色補正後ＲＧＢデータを生成し、評価対象色補正後ＲＧＢデータに対して色追加処理を行って評価対象ＦＲＧＢデータを生成し、評価対象ＦＲＧＢデータと色座標データとに基づいて評価対象色補正パラメータが適正か否かを判断し、評価対象色補正パラメータが適正であると判断した場合に、評価対象色補正パラメータを表示ドライバに設定すべき色補正パラメータとして決定するように構成されている。インターフェースは、色補正パラメータを表示ドライバに送信する。
【００２３】
本発明の更に他の観点では、上記の表示ドライバに色補正パラメータを設定するためのプログラムが提供される。当該プログラムは、演算装置に、下記ステップ：
Ｒ副画素、Ｇ副画素及びＢ副画素を最小階調値に対応する駆動信号で駆動し、Ｆ副画素を最大階調値に対応する駆動信号で駆動したときに表示パネルに表示される表示色の、所定の色空間における色座標を示す色座標データを取得するステップ、
評価対象色補正パラメータを決定するステップ、
校正対象ＲＧＢデータに対して評価対象色補正パラメータに基づいて色補正処理を行って評価対象色補正後ＲＧＢデータを生成するステップと、
評価対象色補正後ＲＧＢデータに対して色追加処理を行って評価対象ＦＲＧＢデータを生成するステップ、
評価対象ＦＲＧＢデータと色座標データとに基づいて評価対象色補正パラメータが適正か否かを判断するステップ、及び、
評価対象色補正パラメータが適正であると判断した場合に、評価対象色補正パラメータを表示ドライバに設定すべき色補正パラメータとして決定するステップ
を実行させる。
【発明の効果】
【００２４】
本発明によれば、色が変化するような色追加処理が行われても所望の色調整（例えば、所望の色域調整）を実現することができる。
【図面の簡単な説明】
【００２５】
【図１】ＲＧＢデータに応じて各画素がＲ副画素、Ｇ副画素、Ｂ副画素及びＦ副画素を備えている表示パネルに画像を表示する場合に行われる画像処理の一例を示している。
【図２】ＲＧＢデータに応じて各画素がＲ副画素、Ｇ副画素、Ｂ副画素及びＦ副画素を備えている表示パネルに画像を表示する場合に行われる画像処理の他の例を示している。
【図３】一実施形態における表示装置の構成を示すブロック図である。
【図４】表示パネルの各画素の構成の一例を示す図である。
【図５】一実施形態における表示ドライバの構成を示すブロック図である。
【図６】一実施形態における色調整装置の構成を示すブロック図である。
【図７】一実施形態における、色調整装置の演算装置の構成を示すブロック図である。
【図８】一実施形態における色調整パラメータの算出の手順を示すフローチャートである。
【図９】ｘｙＹ表色系における、最大階調値の原色Ｒ、原色Ｇ、原色Ｂ及び色Ｆの輝度座標データ、並びに、ホワイトポイント（ＷＰ）の輝度座標データを示す色度図である。
【図１０】他の実施形態における色調整パラメータの算出の手順を示すフローチャートである。
【図１１】他の実施形態における輝度座標測定装置及び表示装置の構成を概略的に示すブロック図である。
【図１２】図１１の実施形態における表示システムの構成を概略的に示すブロック図である。
【図１３】図１２の表示システムの実動作を概略的に示すブロック図である。
【図１４】更に他の実施形態における輝度座標測定装置及び表示装置の構成を概略的に示すブロック図である。
【図１５】図１４の実施形態における表示システムの構成を概略的に示すブロック図である。
【図１６】更に他の実施形態における輝度座標測定装置及び表示装置の構成を概略的に示すブロック図である。
【図１７】図１６の実施形態における表示システムの構成を概略的に示すブロック図である。
【発明を実施するための形態】
【００２６】
図３は、一実施形態において、本発明の表示ドライバの設定方法が適用される表示装置１００の構成を示すブロック図である。
【００２７】
本実施形態では、表示装置１００が、表示パネル１と表示ドライバ２とを備えている。表示装置１００は、ホスト３から画像データを受け取り、受け取った画像データに対応する画像を表示パネル１に表示するように構成されている。本実施形態では、ホスト３から表示ドライバ２に供給される画像データは、ＲＧＢ形式を有しており、各画素について原色Ｒ、原色Ｇ及び原色Ｂの階調を指定する階調値を記述している。一実施形態では、原色Ｒ、原色Ｇ及び原色Ｂの階調は、８ビットの階調値で指定されてもよい。
【００２８】
表示パネル１は、アクティブ領域４とゲートドライバ回路５とを備えている。アクティブ領域４には、複数のゲート線６と複数のソース線７と複数の画素回路８とが配置される。画素回路８は、行列に配置されており、各画素回路８は、対応するゲート線６とソース線７とが交差する位置に設けられている。なお、以下においては、ゲート線６が延伸する方向を「水平方向」と呼ぶことがある。
【００２９】
表示パネル１が液晶表示パネルとして構成されている場合、一実施形態では、各画素回路８は、選択トランジスタと、画素電極と、保持容量とを含んでいてもよい（いずれも図示されない）。この場合、各画素回路８の画素電極と表示パネル１の共通電極（図示されない）の間に駆動電圧が印加され、画素電極と共通電極の間に存在する液晶の配向が、画素電極と共通電極の間に発生する電界によって制御される。
【００３０】
また、表示パネル１がＯＬＥＤ（organic light emitting diode）表示パネルとして構成されている場合、画素回路８は、ＯＬＥＤ素子と、該ＯＬＥＤ素子を駆動する駆動回路と、駆動電極を記憶する保持容量とを含んでいてもよい（いずれも図示されない）。この場合、保持容量に保持されている電圧に対応する電流がＯＬＥＤ素子に供給されてＯＬＥＤ素子が駆動される。
【００３１】
図４は、表示パネル１の各画素１０の構成の例を示す図である。本実施形態では、各画素１０は、原色Ｒ（赤色）、原色Ｇ（緑色）、原色Ｂ（青色）をそれぞれ表示する画素回路８に加え、追加の色Ｆを表示する画素回路８を含んでいる。追加の色Ｆとしては、例えば、黄色Ｙ、水色Ｃ、白色Ｗが用いられ得る。原色Ｒを表示する画素回路８は、Ｒ副画素として用いられ、原色Ｇを表示する画素回路８は、Ｇ副画素として用いられる。また、原色Ｂを表示する画素回路８は、Ｂ副画素として用いられ、色Ｆを表示する画素回路８は、Ｆ副画素として用いられる。以下では、原色Ｒ、原色Ｇ、原色Ｂ、色Ｆを表示する画素回路８を、それぞれ、Ｒ副画素８Ｒ、Ｇ副画素８Ｇ、Ｂ副画素８Ｂ、Ｆ副画素８Ｆと記載することがある。本実施形態では、各画素１０に含まれるＲ副画素８Ｒ、Ｇ副画素８Ｇ、Ｂ副画素８Ｂ及びＦ副画素８Ｆは、水平方向に並んで配置されており、同一のゲート線６に接続される。
【００３２】
図４には、各画素１０においてＦ副画素８Ｆ、Ｒ副画素８Ｒ、Ｇ副画素８Ｇ及びＢ副画素８Ｂがこの順に並んでいる、即ち、Ｆ副画素８Ｆが各画素１０の左端に位置している配置が図示されているが、Ｆ副画素８Ｆ、Ｒ副画素８Ｒ、Ｇ副画素８Ｇ及びＢ副画素８Ｂの配置は、図４に図示されている配置に限られない。例えば、Ｆ副画素８Ｆ、Ｒ副画素８Ｒ、Ｇ副画素８Ｇ及びＢ副画素８Ｂが並ぶ順序は適宜に変更され得る。
【００３３】
図３に戻り、ゲートドライバ回路５は、表示ドライバ２から受け取った制御信号に応じてゲート線６を駆動する。本実施形態では、アクティブ領域４の左右に一対のゲートドライバ回路５が設けられている。ゲートドライバ回路５は、ＳｏＧ（System on Glass）技術によって表示パネル１に集積化されている。
【００３４】
表示ドライバ２は、下記のように動作する半導体集積回路である。第１に、表示ドライバ２は、表示パネル１のソース線７に接続されたソース出力を有しており、ホスト３から受け取った画像データに応じて表示パネル１の各画素回路８を駆動する。第２に、表示ドライバ２は、ホスト３から受け取った制御データに応じてゲート制御信号をゲートドライバ回路５に供給し、これにより、ゲートドライバ回路５を制御する。
【００３５】
図５は、本実施形態における表示ドライバ２の構成を概略的に示すブロック図である。表示ドライバ２は、インターフェース回路２１と、画像処理ＩＰコア２２と、ソースドライバ回路２３と、パネルインターフェース回路２４と、レジスタ回路２５と、不揮発性メモリ２６と、タイミングコントローラ２７とを備えている。
【００３６】
インターフェース回路２１は、ホスト３からＲＧＢ形式の画像データを受け取り、受け取った画像データを画像処理ＩＰコア２２に転送する。インターフェース回路２１は、更に、ホスト３から制御データを受け取り、制御データに含まれるコマンドや制御パラメータをレジスタ回路２５に格納する。
【００３７】
画像処理ＩＰコア２２は、インターフェース回路２１から受け取ったＲＧＢ形式の画像データに対して所望の画像処理を行い、処理後画像データを生成する画像処理回路として動作する。処理後画像データは、Ｒ副画素８Ｒ、Ｇ副画素８Ｇ、Ｂ副画素８Ｂ及びＦ副画素８Ｆの階調を指定する階調値を記述する形式を有している。
【００３８】
なお、画像処理ＩＰコア２２において行われる画像処理は、色補正処理及び色追加処理以外の画像処理を含んでいてもよく、この場合、当該画像処理を行うための回路が画像処理ＩＰコア２２に追加されてもよい。
【００３９】
ソースドライバ回路２３は、画像処理ＩＰコア２２から受け取った処理後画像データに応答して表示パネル１のソース線７を駆動する駆動回路部として動作する。
【００４０】
パネルインターフェース回路２４は、ホスト３から受け取った制御データに応じてゲート制御信号を生成し、生成したゲート制御信号をゲートドライバ回路５に供給する。
【００４１】
レジスタ回路２５は、表示ドライバ２の制御に用いられるコマンドや制御パラメータを保持する。ホスト３から受け取った制御データに含まれるコマンドや制御パラメータは、レジスタ回路２５に格納される。
【００４２】
不揮発性メモリ２６は、表示ドライバ２の制御に用いられる制御パラメータを不揮発的に保持する。表示ドライバ２の起動時に、不揮発性メモリ２６に格納された制御パラメータが読み出されてレジスタ回路２５に格納され、レジスタ回路２５に格納された制御パラメータが表示ドライバ２の制御に用いられる。
【００４３】
タイミングコントローラ２７は、レジスタ回路２５に格納されているコマンドや制御パラメータに応じて、表示ドライバ２に含まれる回路群（例えば、画像処理ＩＰコア２２、ソースドライバ回路２３及びパネルインターフェース回路２４）のタイミング制御を行う。
【００４４】
本実施形態では、画像処理ＩＰコア２２が、色補正処理と色追加処理を実行するように構成されている。より具体的には、画像処理ＩＰコア２２が、色補正回路２８と色追加処理回路２９とを備えている。
【００４５】
色補正回路２８は、インターフェース回路２１から受け取ったＲＧＢ形式の画像データに対して色補正処理を行い、色補正後ＲＧＢデータを生成する。色補正回路２８における色補正処理は、レジスタ回路２５から供給される色補正パラメータに応じて行われる。色補正パラメータにより、色補正回路２８における色補正処理の態様（例えば、各原色が強調される程度、彩度が強調される程度等）が指定される。
【００４６】
色補正パラメータは、不揮発性メモリ２６の色補正パラメータ格納領域３１に不揮発的に格納される。表示ドライバ２の起動時に、色補正パラメータ格納領域３１に格納されている色補正パラメータが読み出されてレジスタ回路２５に格納され、レジスタ回路２５に格納された色補正パラメータが色補正回路２８に供給される。色補正回路２８は、レジスタ回路２５から受け取った色補正パラメータに応じて色補正処理を行う。
【００４７】
色追加処理回路２９は、色補正回路２８から受け取った色補正後ＲＧＢデータに対して色追加処理を行ってＦＲＧＢデータを生成する。上述のように、ＦＲＧＢデータは、各画素のＲ副画素、Ｇ副画素、Ｂ副画素、Ｆ副画素の階調値を記述する形式の画像データである。生成されたＦＲＧＢデータ又は該ＦＲＧＢデータに対して所望の画像処理を行って得られる画像データが、処理後画像データとしてソースドライバ回路２３に供給される。
【００４８】
所望の色調整（例えば、所望の色域調整）を実現するためには、色補正処理において用いられる色補正パラメータを最適に算出することが望まれる。発明者の検討によれば、色補正パラメータの算出において考慮すべきことの一つは、色補正処理の後に行われる色追加処理において色の変化が発生し得ることである。色追加処理における色の変化を考慮して色補正パラメータを算出すれば、所望の色調整を行った画像データを最終的に得ることができる。以下では、色追加処理における色の変化を考慮して適切な色補正パラメータを算出して表示ドライバ２に設定する（即ち、色補正パラメータ格納領域３１に書き込む）ための技術が提示される。
【００４９】
本実施形態では、色補正パラメータの算出において、最大階調値の色Ｆの所定の色空間における色座標を示す色座標データが取得され、取得された色座標データが色補正パラメータの算出に用いられる。最大階調値の色Ｆの色座標データとは、より厳密には、表示パネル１のＲ副画素８Ｒ、Ｇ副画素８Ｇ及びＢ副画素８Ｂを最小階調値に対応する駆動信号で駆動し、Ｆ副画素８Ｆを最大階調値に対応する駆動信号で駆動したときに表示パネル１に表示される表示色の、所定の色空間における色座標を示すデータである。
【００５０】
本実施形態では、取得された最大階調値の色Ｆの色座標データが、色補正パラメータの適正さを評価するために用いられる。色補正パラメータの適正さの評価は、概略的には、下記のようにして行われる。
【００５１】
予め、校正対象ＲＧＢデータ（Ｒｉ，Ｇｉ，Ｂｉ）と、それに対応づけられた目標ＲＧＢデータ（Ｒｔ，Ｇｔ，Ｂｔ）とが用意される。校正対象ＲＧＢデータ（Ｒｉ，Ｇｉ，Ｂｉ）とは、色補正パラメータが適正かを判断する対象のＲＧＢデータである。目標ＲＧＢデータ（Ｒｔ，Ｇｔ，Ｂｔ）は、校正対象ＲＧＢデータ（Ｒｉ，Ｇｉ，Ｂｉ）に対して色補正処理及び色追加処理を行ったときに実現されるべき目標の色をＲＧＢ形式で表すデータであり、対応する校正対象ＲＧＢデータ（Ｒｉ，Ｇｉ，Ｂｉ）について色補正パラメータが適正か否かを判断するために用いられる。
【００５２】
校正対象ＲＧＢデータ（Ｒｉ，Ｇｉ，Ｂｉ）に対して、適正性を評価すべき色補正パラメータを用いて色補正処理が行われて色補正後ＲＧＢデータが生成され、更に、色補正後ＲＧＢデータに対して色追加処理が行われてＦＲＧＢデータ（Ｆａ，Ｒａ，Ｇａ，Ｂａ）が生成される。ここで、Ｆａ、Ｒａ、Ｇａ、Ｂａは、それぞれ、Ｆ副画素８Ｆ、Ｒ副画素８Ｒ、Ｇ副画素８Ｇ、Ｂ副画素８Ｂの階調値である。このＦＲＧＢデータに応じて表示パネル１を駆動したときに表示パネル１に表示される色をＲＧＢ形式で表したＲＧＢ輝度成分データ（Ｒｒ，Ｇｒ，Ｂｒ）が、最大階調値の色Ｆの色座標データを用いて算出される。ＲＧＢ輝度成分データ（Ｒｒ，Ｇｒ，Ｂｒ）は、当該ＦＲＧＢデータに応じて表示パネル１を駆動したときに表示パネル１に表示される色の原色Ｒ、原色Ｇ、原色Ｂの成分を示すことになる。最大階調値の色Ｆの色座標データは、Ｆ副画素８Ｆによって表示される色の情報を含んでいるから、ＦＲＧＢデータからＲＧＢ輝度成分データ（Ｒｒ，Ｇｒ，Ｂｒ）を算出可能である。
【００５３】
色補正パラメータの適正性は、ＲＧＢ輝度成分データ（Ｒｒ，Ｇｒ，Ｂｒ）と目標ＲＧＢデータ（Ｒｔ，Ｇｔ，Ｂｔ）との比較の結果（即ち、類似性）に基づいて決定される。ＲＧＢ輝度成分データ（Ｒｒ，Ｇｒ，Ｂｒ）が目標ＲＧＢデータ（Ｒｔ，Ｇｔ，Ｂｔ）に一致する、又は、目標ＲＧＢデータ（Ｒｔ，Ｇｔ，Ｂｔ）に近い場合、色補正パラメータが適正であると判断される。ＲＧＢ輝度成分データ（Ｒｒ，Ｇｒ，Ｂｒ）が目標ＲＧＢデータ（Ｒｔ，Ｇｔ，Ｂｔ）と大きく相違する場合、色補正パラメータが適正でないと判断され、色補正パラメータが調整される。色補正パラメータが調整された場合、調整後の色補正パラメータに対して同様の評価が行われる。このような手順が、色補正パラメータが適正であると判断されるまで繰り返して行われる。適正であると判断された色補正パラメータが、表示ドライバ２の不揮発性メモリ２６に格納される。
【００５４】
一実施形態では、表示パネル１に対して実際に測定を行うことによって最大階調値の色Ｆの色座標データが取得されてもよい。この場合、最大階調値の色Ｆの色座標データとして、表示パネル１の全ての画素１０について、Ｆ副画素８Ｆを最大階調値に対応する駆動信号で駆動し、他の副画素（Ｒ副画素８Ｒ、Ｇ副画素８Ｇ、Ｂ副画素８Ｂ）を最小階調値に対応する駆動信号で駆動した状態で表示パネル１に表示される表示色の、所定の色空間における色座標を示す色座標データが測定装置（例えば、輝度計）によって測定される。色空間としては、例えば、ｘｙＹ表色系が使用され得る。この場合、色Ｆの色座標データは、ｘｙＹ表色系における刺激値（輝度）Ｙ及び色度座標（ｘ，ｙ）を示す輝度座標データとして取得されてもよい。
【００５５】
他の実施形態では、表示パネル１の設計データ、例えば、表示パネル１に設けられたフィルタの特性を示すデータから、最大階調値の色Ｆの色座標データ、即ち、表示パネル１のＲ副画素８Ｒ、Ｇ副画素８Ｇ及びＢ副画素８Ｂを最小階調値に対応する駆動信号で駆動し、Ｆ副画素８Ｆを最大階調値に対応する駆動信号で駆動したときに表示パネル１に表示される表示色の色座標データ（輝度座標データ）が算出されてもよい。
【００５６】
なお、原色Ｒ、原色Ｇ、原色Ｂに追加される色Ｆの数は、１に限定されない。追加の色Ｆの数が２以上である場合、追加の色Ｆのそれぞれについて最大階調値の色Ｆの色座標データが取得され、取得された色座標データが、色補正パラメータの適正さを評価するために用いられる。
【００５７】
以下では、本実施形態における色補正パラメータの算出について詳細に説明する。図６は、本実施形態において、表示ドライバ２に設定すべき色補正パラメータを最適に算出するために用いられる色調整装置２００の構成を示すブロック図である。色調整装置２００は、輝度計１１と、演算装置１２とを備えている。
【００５８】
輝度計１１は、表示パネル１に表示される表示色の所定の色空間における色座標を測定し、該色座標を示す色座標データを生成して演算装置１２に供給する。本実施形態では、輝度計１１は、ｘｙＹ表色系における刺激値（輝度）Ｙ及び色度座標（ｘ，ｙ）を測定し、測定した刺激値Ｙ及び色度座標（ｘ，ｙ）を示す輝度座標データを上記の色座標データとして演算装置１２に供給する。後述されるように、本実施形態では、最大階調値で原色Ｒ、原色Ｇ、原色Ｂ及び色Ｆを表示パネル１に表示したときの刺激値Ｙ及び色度座標（ｘ，ｙ）を示す輝度座標データ、及び、表示パネル１のホワイトポイント（ＷＰ）の刺激値Ｙ及び色度座標（ｘ，ｙ）を示す輝度座標データが輝度計１１によって取得され、取得された輝度座標データが演算装置１２に供給される。
【００５９】
演算装置１２は、輝度計１１から受け取った色座標データ（本実施形態では、輝度座標データ）から表示ドライバ２に設定すべき色補正パラメータを算出する。図７は、演算装置１２の構成の一例を示すブロック図である。
【００６０】
本実施形態では、演算装置１２は、色調整ソフトウェア１３がインストールされているコンピュータとして構成されており、インターフェース１４、記憶装置１５、プロセッサ１６及びインターフェース１７を備えている。インターフェース１４は、輝度計１１から色座標データ（本実施形態では、輝度座標データ）を受け取る。
【００６１】
記憶装置１５は、色補正パラメータを算出する色調整ソフトウェア１３を格納している。色補正パラメータの算出は、プロセッサ１６が色調整ソフトウェア１３を実行することで行われる。色調整ソフトウェア１３は、色補正パラメータの算出に加え、色補正パラメータの算出の過程において表示ドライバ２に供給すべき画像データや制御データを生成する処理も行う。記憶装置１５は、色補正パラメータの算出のためのワークエリアとしても用いられる。記憶装置１５は、色補正パラメータの算出の過程で用いられ、又は算出の過程で生成される様々なデータ（例えば、上述の輝度座標データ）を格納する。インターフェース１７は、算出された色補正パラメータを表示ドライバ２に送信し、更に、色補正パラメータの算出の過程において表示ドライバ２に供給すべき画像データ及びや制御データを表示ドライバ２に送信する。
【００６２】
演算装置１２の記憶装置１５には、校正対象ＲＧＢデータ（Ｒｉ，Ｇｉ，Ｂｉ）と、それに対応づけられた目標ＲＧＢデータ（Ｒｔ，Ｇｔ，Ｂｔ）とが格納されている。校正対象ＲＧＢデータ（Ｒｉ，Ｇｉ，Ｂｉ）とは、色補正パラメータが適正かを判断する対象のＲＧＢデータである。目標ＲＧＢデータ（Ｒｔ，Ｇｔ，Ｂｔ）は、校正対象ＲＧＢデータ（Ｒｉ，Ｇｉ，Ｂｉ）に対して色補正処理及び色追加処理を行ったときに実現されるべき目標の色を示すデータであり、対応する校正対象ＲＧＢデータ（Ｒｉ，Ｇｉ，Ｂｉ）について、色補正パラメータが適正か否かを判断するために用いられる。記憶装置１５に格納されている校正対象ＲＧＢデータ（Ｒｉ，Ｇｉ，Ｂｉ）と目標ＲＧＢデータ（Ｒｔ，Ｇｔ，Ｂｔ）の組の数は、１つでもよいし、複数であってもよい。
【００６３】
続いて、図６に図示されている色調整装置２００を用いた色補正パラメータの算出の手順を説明する。図８は、本実施形態における色補正パラメータの算出の手順を示すフローチャートである。なお、図８に図示されている各ステップは、演算装置１２のプロセッサ１６が色調整ソフトウェア１３を実行することで実行される。
【００６４】
まず、最大階調値の原色Ｒ、原色Ｇ、原色Ｂ及び色Ｆの輝度座標データ、並びに、ホワイトポイント（ＷＰ）の輝度座標データが取得される（ステップＳ０１）。
【００６５】
本実施形態では、最大階調値の原色Ｒの輝度座標データは、表示パネル１のＲ副画素８Ｒを最大階調値に対応する駆動信号で駆動し、他の副画素（Ｆ副画素８Ｆ、Ｇ副画素８Ｇ、Ｂ副画素８Ｂ）を最小階調値に対応する駆動信号で駆動した状態で表示パネル１に表示される表示色の、ｘｙＹ表色系における刺激値Ｙ及び色度座標（ｘ，ｙ）を含むデータとして取得される。以下では、最大階調値の原色Ｒの輝度座標データを、（ＲＹ，Ｒｘ，Ｒｙ）と記載することがある。ここで、ＲＹは、原色Ｒの刺激値Ｙであり、Ｒｘ、Ｒｙは、それぞれ、原色Ｒの色度座標ｘ，ｙである。
【００６６】
一実施形態では、最大階調値の原色Ｒの輝度座標データの取得において、色調整ソフトウェア１３が、画像処理ＩＰコア２２にソースドライバ回路２３に供給される処理後画像データとして全ての画素１０についてＲ副画素８Ｒの階調値が最大階調値でありＦ副画素８Ｆ、Ｇ副画素８Ｇ、Ｂ副画素８Ｂの階調値が最小階調値である画像データを供給するように指示する制御データを表示ドライバ２に送信する。ソースドライバ回路２３がこのように生成された処理後画像データに応じて表示パネル１を駆動している間に、色調整ソフトウェア１３は、輝度計１１を制御して表示パネル１に表示されている表示色の輝度座標データを測定する。このようにして取得された輝度座標データが、最大階調値の原色Ｒの輝度座標データである。
【００６７】
同様に、最大階調値の原色Ｇの輝度座標データは、表示パネル１のＧ副画素８Ｇを最大階調値に対応する駆動信号で駆動し、他の副画素（Ｆ副画素８Ｆ、Ｒ副画素８Ｒ、Ｂ副画素８Ｂ）を最小階調値に対応する駆動信号で駆動した状態で表示パネル１に表示される表示色の、ｘｙＹ表色系における刺激値Ｙ及び色度座標（ｘ，ｙ）を含むデータとして取得される。以下では、最大階調値の原色Ｇの輝度座標データを、（ＧＹ，Ｇｘ，Ｇｙ）と記載することがある。ここで、ＧＹは、原色Ｇの刺激値Ｙであり、Ｇｘ、Ｇｙは、それぞれ、原色Ｇの色度座標ｘ，ｙである。最大階調値の原色Ｇの輝度座標データは、全ての画素１０についてＧ副画素８Ｇの階調値が最大階調値であり、Ｆ副画素８Ｆ、Ｒ副画素８Ｒ、Ｂ副画素８Ｂの階調値が最小階調値である画像データがソースドライバ回路２３に供給されることを除けば、最大階調値の原色Ｒの輝度座標データと同様にして測定される。
【００６８】
また、最大階調値の原色Ｂの輝度座標データは、表示パネル１のＢ副画素８Ｂを最大階調値に対応する駆動信号で駆動し、他の副画素（Ｆ副画素８Ｆ、Ｒ副画素８Ｒ、Ｇ副画素８Ｇ）を最小階調値に対応する駆動信号で駆動した状態で表示パネル１に表示される表示色の、ｘｙＹ表色系における刺激値Ｙ及び色度座標（ｘ，ｙ）を含むデータとして取得される。以下では、最大階調値の原色Ｂの輝度座標データを、（ＢＹ，Ｂｘ，Ｂｙ）と記載することがある。ここで、ＢＹは、原色Ｂの刺激値Ｙであり、Ｂｘ、Ｂｙは、それぞれ、原色Ｂの色度座標ｘ，ｙである。最大階調値の原色Ｂの輝度座標データは、全ての画素１０についてＢ副画素８Ｂの階調値が最大階調値であり、Ｆ副画素８Ｆ、Ｒ副画素８Ｒ、Ｇ副画素８Ｇの階調値が最小階調値である画像データがソースドライバ回路２３に供給されることを除き、最大階調値の原色Ｒ及び原色Ｇの輝度座標データと同様にして測定される。
【００６９】
更に、最大階調値の色Ｆの輝度座標データは、表示パネル１のＦ副画素８Ｆを最大階調値に対応する駆動信号で駆動し、他の副画素（Ｒ副画素８Ｒ、Ｇ副画素８Ｇ、Ｂ副画素８Ｂ）を最小階調値に対応する駆動信号で駆動した状態で表示パネル１に表示される表示色の、ｘｙＹ表色系における刺激値Ｙ及び色度座標（ｘ，ｙ）を含むデータとして取得される。以下では、色Ｆの輝度座標データを、（ＦＹ，Ｆｘ，Ｆｙ）と記載することがある。ここで、ＦＹは、色Ｆの刺激値Ｙであり、Ｆｘ、Ｆｙは、それぞれ、色Ｆの色度座標ｘ，ｙである。最大階調値の色Ｆの輝度座標データは、全ての画素１０についてＦ副画素８Ｆの階調値が最大階調値であり、Ｒ副画素８Ｒ、Ｇ副画素８Ｇ、Ｂ副画素８Ｂの階調値が最小階調値である画像データがソースドライバ回路２３に供給されることを除き、最大階調値の原色Ｒ、原色Ｇ、原色Ｂの輝度座標データと同様にして測定される。
【００７０】
一方、ホワイトポイント（ＷＰ）の輝度座標データは、表示パネル１のＲ副画素８Ｒ、Ｇ副画素８Ｇ及びＢ副画素８Ｂを最大階調値に対応する駆動信号で駆動し、Ｆ副画素８Ｆを最小階調値に対応する駆動信号で駆動した状態で表示パネル１に表示される表示色の、ｘｙＹ表色系における刺激値Ｙ及び色度座標（ｘ，ｙ）を含むデータとして測定される。以下では、ホワイトポイントの輝度座標データを、（ＷＹ，Ｗｘ，Ｗｙ）と記載することがある。ここで、ＷＹは、ホワイトポイントの刺激値Ｙであり、Ｗｘ、Ｗｙは、それぞれ、ホワイトポイントの色度座標ｘ，ｙである。
【００７１】
ホワイトポイント（ＷＰ）の輝度座標データの取得においては、色調整ソフトウェア１３は、画像処理ＩＰコア２２に、ソースドライバ回路２３に供給される処理後画像データとして、全ての画素１０について、Ｒ副画素８Ｒ、Ｇ副画素８Ｇ、Ｂ副画素８Ｂの階調値が最大階調値であり、Ｆ副画素８Ｆの階調値が最小階調値である画像データを供給するように指示する制御データを表示ドライバ２に送信する。ソースドライバ回路２３が、このように生成された処理後画像データに応じて表示パネル１を駆動している間に、色調整ソフトウェア１３は、輝度計１１を制御して表示パネル１に表示されている表示色の輝度座標データを測定する。このようにして取得された輝度座標データが、ホワイトポイント（ＷＰ）の輝度座標データである。
【００７２】
図９の色度図は、ｘｙＹ表色系における、最大階調値の原色Ｒ、原色Ｇ、原色Ｂ及び色Ｆの輝度座標データ、並びに、ホワイトポイント（ＷＰ）の輝度座標データを図示している。
【００７３】
なお、上記では、表示パネル１に対して実際に測定を行うことで、最大階調値の原色Ｒ、原色Ｇ、原色Ｂ及び色Ｆの輝度座標データ、並びに、ホワイトポイント（ＷＰ）の輝度座標データが取得されているが、表示パネル１の設計データ（例えば、表示パネル１に設けられたフィルタの特性を示すデータ）から、最大階調値の原色Ｒ、原色Ｇ、原色Ｂ及び色Ｆの輝度座標データ、並びに、ホワイトポイント（ＷＰ）の輝度座標データが取得されてもよい。
【００７４】
図８を再度に参照して、ステップＳ０１に続いて、表示パネル１について、（Ｆ副画素８Ｆを用いずに）Ｒ副画素８Ｒ、Ｇ副画素８Ｇ及びＢ副画素８Ｂのみを用いて画像を表示した場合の表示パネル１の表示特性を表すＲＧＢ−ＸＹＺ変換マトリクスＭ及びその逆行列であるＸＹＺ−ＲＧＢ変換マトリクスＭ−１が算出される（ステップＳ０２）。一実施形態では、ＲＧＢ−ＸＹＺ変換マトリクスＭ及びＸＹＺ−ＲＧＢ変換マトリクスＭ−１の算出は、下記の手順で行われる。
【００７５】
まず、ステップＳ０１において取得された最大階調値の原色Ｒ、原色Ｇ、原色Ｂ及びホワイトポイント（ＷＰ）の輝度座標データに基づいて、表示パネル１の表示特性を表すＲＧＢ−ＸＹＺ変換マトリクスが算出される。ＲＧＢ−ＸＹＺ変換マトリクスは、下記式（１ａ）の変換行列Ｍとして算出される：
【数１】
2019003128.tif 000003
ここで、ｒ、ｇ、ｂは、それぞれ、ホワイトポイントの輝度を１としたときの原色Ｒ、Ｇ、Ｂの輝度を表しており、下記の連立方程式（１ｂ）を解くことによって得られる：
【数２】
2019003128.tif 000004
【００７６】
ＸＹＺ−ＲＧＢ変換マトリクスは、ＲＧＢ−ＸＹＺ変換マトリクスＭの逆行列Ｍ−１として得られる。即ち、ＸＹＺ−ＲＧＢ変換マトリクスＭ−１は、下記式（２）によって表される：
【数３】
2019003128.tif 000005
【００７７】
更に、最大階調値の色Ｆの輝度座標データ（ＦＹ，Ｆｘ，Ｆｙ）とＸＹＺ−ＲＧＢ変換マトリクスＭ−１とに基づいて、色ＦのＲＧＢデータ（ＦＲ，ＦＧ，ＦＢ）が算出される（ステップＳ０３）。色ＦのＲＧＢデータ（ＦＲ，ＦＧ，ＦＢ）は、表示パネル１のＦ副画素８Ｆを最大階調値に対応する駆動信号で駆動し、他の副画素（Ｒ副画素８Ｒ、Ｇ副画素８Ｇ、Ｂ副画素８Ｂ）を最小階調値に対応する駆動信号で駆動した状態で表示パネル１に表示される表示色の、原色Ｒの成分、原色Ｇの成分、及び、原色Ｂの成分の比率を示すデータである。
【００７８】
詳細には、まず、最大階調値の色Ｆの輝度座標データ（ＦＹ，Ｆｘ，Ｆｙ）が、下記（３ａ）、（３ｂ）に従ってＸＹＺ表色系の色座標データ（ＦＸ，ＦＹ，ＦＺ）に変換される。
ＦＸ＝ＦＹ×Ｆｘ／Ｆｙ                      ・・・（３ａ）
ＦＺ＝ＦＹ×（１−Ｆｘ−Ｆｙ）／Ｆｙ        ・・・（３ｂ）
ＸＹＺ表色系の色座標データのＦＹとしては、輝度座標データの刺激値ＦＹが、そのまま用いられる。
【００７９】
更に、色Ｆの色座標データ（ＦＸ，ＦＹ，ＦＺ）にＸＹＺ−ＲＧＢ変換マトリクスを適用してＸＹＺ−ＲＧＢ変換を行うことにより、色ＦのＲＧＢデータ（ＦＲ、ＦＧ、ＦＢ）が算出される。色ＦのＲＧＢデータ（ＦＲ、ＦＧ、ＦＢ）は、下記式（４）のように表される：
【数４】
2019003128.tif 000006
【００８０】
このようにして算出された色ＦのＲＧＢデータ（ＦＲ、ＦＧ、ＦＢ）を用いて色補正パラメータの算出が行われる（ステップＳ０４〜ステップＳ０９）。色補正パラメータの算出は、下記の手順で行われる。
【００８１】
まず、適宜の手法により、色補正パラメータが初期的に選択される（ステップＳ０４）。一実施形態では、演算装置１２の記憶装置１５に予め用意された色補正パラメータが選択される。後に行われるステップにおいて、色補正パラメータが適正でない場合には色補正パラメータの調整が行われるので、ステップＳ０４においては、適宜に色補正パラメータを選択してよい。
【００８２】
続いて、選択された色補正パラメータが適正であるか否かが判断される（ステップＳ０５〜Ｓ０８）。
【００８３】
詳細には、校正対象ＲＧＢデータ（Ｒｉ，Ｇｉ，Ｂｉ）に対してステップＳ０４で選択された色補正パラメータに基づいて色補正処理が行われて色補正後ＲＧＢデータ（Ｒｃ，Ｇｃ，Ｂｃ）が算出される（ステップＳ０５）。上述のように、校正対象ＲＧＢデータ（Ｒｉ，Ｇｉ，Ｂｉ）とは、色補正パラメータが適正かを判断する対象のＲＧＢデータである。色調整ソフトウェア１３は、表示ドライバ２の画像処理ＩＰコア２２の色補正回路２８において行われる色補正処理と同一の色補正処理をソフトウェア処理によって行うように構成されており、ステップＳ０５においては、色補正回路２８において行われる色補正処理と同一の色補正処理が色調整ソフトウェア１３によって実行されて色補正後ＲＧＢデータ（Ｒｃ，Ｇｃ，Ｂｃ）が算出される。校正対象ＲＧＢデータ（Ｒｉ，Ｇｉ，Ｂｉ）と目標ＲＧＢデータ（Ｒｔ，Ｇｔ，Ｂｔ）との組が複数用意されている場合には、複数の校正対象ＲＧＢデータ（Ｒｉ，Ｇｉ，Ｂｉ）のそれぞれに対応する複数の色補正後ＲＧＢデータ（Ｒｃ，Ｇｃ，Ｂｃ）が算出される。
【００８４】
続いて、色補正後ＲＧＢデータ（Ｒｃ，Ｇｃ，Ｂｃ）に対して色追加処理が行われてＦＲＧＢデータ（Ｆａ，Ｒａ，Ｇａ，Ｂａ）が算出される（ステップＳ０６）。色調整ソフトウェア１３は、表示ドライバ２の画像処理ＩＰコア２２の色追加処理回路２９において行われる色追加処理と同一の色追加処理をソフトウェア処理によって行うように構成されており、ステップＳ０６においては、色追加処理回路２９において行われる色追加処理と同一の色追加処理が色調整ソフトウェア１３によって実行されてＦＲＧＢデータ（Ｆａ，Ｒａ，Ｇａ，Ｂａ）が算出される。校正対象ＲＧＢデータ（Ｒｉ，Ｇｉ，Ｂｉ）と目標ＲＧＢデータ（Ｒｔ，Ｇｔ，Ｂｔ）との組が複数用意されている場合、即ち、ステップＳ０６において複数の色補正後ＲＧＢデータ（Ｒｃ，Ｇｃ，Ｂｃ）が算出されている場合には、それぞれに対応する複数のＦＲＧＢデータ（Ｆａ，Ｒａ，Ｇａ，Ｂａ）が算出される。
【００８５】
続いて、ステップＳ０３で算出された色ＦのＲＧＢデータ（ＦＲ，ＦＧ，ＦＢ）を用いて、ＦＲＧＢデータ（Ｆａ，Ｒａ，Ｇａ，Ｂａ）からＲＧＢ輝度成分データ（Ｒｒ，Ｇｒ，Ｂｒ）が計算される（ステップＳ０７）。ＲＧＢ輝度成分データ（Ｒｒ，Ｇｒ，Ｂｒ）は、ＦＲＧＢデータ（Ｆａ，Ｒａ，Ｇａ，Ｂａ）に基づいて表示パネル１を駆動したときに表示パネル１に表示される色の原色Ｒ、原色Ｇ、原色Ｂの輝度成分を示すデータであり、本実施形態では、ＲＧＢ輝度成分データ（Ｒｒ，Ｇｒ，Ｂｒ）が、下記式（５ａ）〜（５ｃ）に従って算出される：
【数５】
2019003128.tif 000007
ここで、γは、表示装置１００に設定されるガンマ値である。また、ＦＲＧＢＭＡＸは、ＦＲＧＢデータ（Ｆａ，Ｒａ，Ｇａ，Ｂａ）に記述されたＲ副画素８Ｒ、Ｇ副画素８Ｇ、Ｂ副画素８Ｂ、Ｆ副画素８Ｆの階調値に許容される最大階調値であり、Ｒ副画素８Ｒ、Ｇ副画素８Ｇ、Ｂ副画素８Ｂ、Ｆ副画素８Ｆの階調値が８ビットで表される場合、ＦＲＧＢＭＡＸは“２５５”である。この場合、式（５ａ）〜（５ｃ）は、下記式（５ａ’）〜（５ｃ’）に書き直すことができる：
【数６】
2019003128.tif 000008
【００８６】
算出されたＲＧＢ輝度成分データ（Ｒｒ，Ｇｒ，Ｂｒ）に基づいてステップＳ０４で選択された色補正パラメータが適正か否かが判断される（ステップＳ０８）。上述のように、ＲＧＢ輝度成分データ（Ｒｒ，Ｇｒ，Ｂｒ）は、ＦＲＧＢデータ（Ｆａ，Ｒａ，Ｇａ，Ｂａ）に基づいて表示パネル１を駆動したときに表示パネル１に表示される色の原色Ｒ、原色Ｇ、原色Ｂの輝度成分を示している。よって、ＲＧＢ輝度成分データ（Ｒｒ，Ｇｒ，Ｂｒ）と目標ＲＧＢデータ（Ｒｔ，Ｇｔ，Ｂｔ）とに基づいて色補正パラメータが適正か否かを判断することができる。例えば、ステップＳ０８で算出されたＲＧＢ輝度成分データ（Ｒｒ，Ｇｒ，Ｂｒ）が目標ＲＧＢデータ（Ｒｔ，Ｇｔ，Ｂｔ）に一致する、又は、近い目標ＲＧＢデータ（Ｒｔ，Ｇｔ，Ｂｔ）に近い場合には、色補正パラメータが適正であると判断される。一方、ＲＧＢ輝度成分データ（Ｒｒ，Ｇｒ，Ｂｒ）が目標ＲＧＢデータ（Ｒｔ，Ｇｔ，Ｂｔ）から大きく相違する場合には、色補正パラメータが適正でないと判断される。
【００８７】
一実施形態では、ＲＧＢ輝度成分データ（Ｒｒ，Ｇｒ，Ｂｒ）と目標ＲＧＢデータ（Ｒｔ，Ｇｔ，Ｂｔ）との類似度が算出されてもよい。一実施形態では、ＲＧＢ輝度成分データ（Ｒｒ，Ｇｒ，Ｂｒ）と目標ＲＧＢデータ（Ｒｔ，Ｇｔ，Ｂｔ）との類似度は、下記式（６）で定義される距離Ｄとして算出されてもよい：
【数７】
2019003128.tif 000009
一実施形態では、距離Ｄが所定値よりも小さい場合に色補正パラメータが適正であると判断され、そうでない場合、色補正パラメータが適正でないと判断されてもよい。
【００８８】
校正対象ＲＧＢデータ（Ｒｉ，Ｇｉ，Ｂｉ）と目標ＲＧＢデータ（Ｒｔ，Ｇｔ，Ｂｔ）との組が複数用意されている場合には、そのそれぞれに対応するＲＧＢ輝度成分データ（Ｒｒ，Ｇｒ，Ｂｒ）と目標ＲＧＢデータ（Ｒｔ，Ｇｔ，Ｂｔ）との組のそれぞれに対して類似度（距離Ｄ）が算出され、算出された類似度に基づいて色補正パラメータが適正か否かが判断されてもよい。一実施形態では、ＲＧＢ輝度成分データ（Ｒｒ，Ｇｒ，Ｂｒ）と目標ＲＧＢデータ（Ｒｔ，Ｇｔ，Ｂｔ）との組のそれぞれに対して算出された類似度（距離Ｄ）の和に基づいて、色補正パラメータが適正か否かが判断されてもよい。
【００８９】
ステップＳ０８において色補正パラメータが適正でないと判断された場合、色補正パラメータが調整され（ステップＳ０９）、更に、調節後の色補正パラメータが適正か否かが、上述した手順によって再度に判断される（ステップＳ０５〜Ｓ０８）。詳細には、調整後の色補正パラメータに基づいて校正対象ＲＧＢデータ（Ｒｉ，Ｇｉ，Ｂｉ）に対して色補正処理が行われて色補正後ＲＧＢデータ（Ｒｃ，Ｇｃ，Ｂｃ）が算出され（ステップＳ０５）、更に、色補正後ＲＧＢデータ（Ｒｃ，Ｇｃ，Ｂｃ）に対して色追加処理が行われてＦＲＧＢデータ（Ｆａ，Ｒａ，Ｇａ，Ｂａ）が算出される（ステップＳ０６）。更に、ステップＳ０３で算出された色ＦのＲＧＢデータ（ＦＲ，ＦＧ，ＦＢ）を用いてＦＲＧＢデータ（Ｆａ，Ｒａ，Ｇａ，Ｂａ）から、ＲＧＢ輝度成分データ（Ｒｒ，Ｇｒ，Ｂｒ）が算出され（ステップＳ０７）、算出されたＲＧＢ輝度成分データ（Ｒｒ，Ｇｒ，Ｂｒ）に基づいてステップＳ０９における調節で得られた色補正パラメータが適正か否かが判断される（ステップＳ０８）。色補正パラメータの調整と色補正パラメータの適正性の判断は、色補正パラメータが適正であると判断されるまで繰り返して行われる。
【００９０】
色補正パラメータが適正であると判断された場合、該色補正パラメータが演算装置１２から表示ドライバ２に送信され、表示ドライバ２の不揮発性メモリ２６の色補正パラメータ格納領域３１に書き込まれる（ステップＳ１０）。以上で色補正パラメータの算出、及び、算出された色補正パラメータの表示ドライバ２への設定が完了する。
【００９１】
以上に説明された色補正パラメータの算出の手順によれば、色追加処理により色が変化する場合にも、その色の変化を考慮して所望の色調整（例えば、所望の色域調整）を実現することができる。
【００９２】
上述の色補正パラメータの算出の手順では、最大階調値の色Ｆの色座標データ（より具体的には、最大階調値の色Ｆの輝度座標データ（ＦＹ，Ｆｘ，Ｆｙ））を用いて色補正パラメータの適正さが判断されているが、加えて、特定の中間階調値ｍｉｄの色Ｆの色座標データを用いて色補正パラメータの適正さを判断してもよい。中間階調値ｍｉｄの色Ｆの色座標データとは、より厳密には、表示パネル１のＲ副画素８Ｒ、Ｇ副画素８Ｇ及びＢ副画素８Ｂを最小階調値に対応する駆動信号で駆動し、Ｆ副画素８Ｆを中間階調値ｍｉｄに対応する駆動信号で駆動したときに表示パネル１に表示される表示色の、所定の色空間における色座標を示すデータである。ここで、中間階調値ｍｉｄは、最小階調値より大きく最大階調値よりも小さい所定の階調値である。出力ＦＲＧＢデータにおいてＦ副画素８Ｆの階調値が８ビットで表される場合、最小階調値は“０”であり、最大階調値は“２５５”であり、この場合、中間階調値ｍｉｄは、０より大きく２５５より小さい整数値に決められる。中間階調値ｍｉｄの色Ｆの色座標データを追加的に用いることにより、色補正パラメータの適正さをより精度よく判断することができる。
【００９３】
中間階調値ｍｉｄの色Ｆの色座標データとしては、中間階調値ｍｉｄの色Ｆの輝度座標データ（ＦＹｍｉｄ，Ｆｘｍｉｄ，Ｆｙｍｉｄ）を用いてもよい。ここで、ＦＹｍｉｄは、中間階調値ｍｉｄの色Ｆの刺激値Ｙであり、Ｆｘｍｉｄ、Ｆｙｍｉｄは、それぞれ、中間階調値ｍｉｄの色Ｆの色度座標ｘ，ｙである。以下では、最大階調値の色Ｆの輝度座標データ（ＦＹ，Ｆｘ，Ｆｙ）に加え、中間階調値ｍｉｄの色Ｆの輝度座標データ（ＦＹｍｉｄ，Ｆｘｍｉｄ，Ｆｙｍｉｄ）を用いて色補正パラメータの適正さを判断する場合の色補正パラメータの算出について説明する。なお、以下においては、中間階調値ｍｉｄの色Ｆの輝度座標データ（ＦＹｍｉｄ，Ｆｘｍｉｄ，Ｆｙｍｉｄ）と明確に区別するために、最大階調値の色Ｆの輝度座標データ（ＦＹ，Ｆｘ，Ｆｙ）を（ＦＹｍａｘ、Ｆｘｍａｘ、Ｆｙｍａｘ）と記載する。
【００９４】
図１０は、中間階調値ｍｉｄの色Ｆの輝度座標データ（ＦＹｍｉｄ，Ｆｘｍｉｄ，Ｆｙｍｉｄ）を用いて色補正パラメータの適正さを判断する場合における色補正パラメータの算出の手順を示すフローチャートである。
【００９５】
最大階調値の原色Ｒ、原色Ｇ、原色Ｂ及び色Ｆの輝度座標データ、並びに、ホワイトポイント（ＷＰ）の輝度座標データが取得される（ステップＳ１１）。最大階調値の原色Ｒ、原色Ｇ、原色Ｂ及び色Ｆの輝度座標データ、並びに、ホワイトポイント（ＷＰ）の輝度座標データは、上述のステップＳ０１と同様にして行われる。
【００９６】
更に、中間階調値ｍｉｄの色Ｆの輝度座標データが取得される（ステップＳ１２）。中間階調値ｍｉｄの色Ｆの輝度座標データは、表示パネル１のＦ副画素８Ｆを中間階調値ｍｉｄに対応する駆動信号で駆動し、他の副画素（Ｒ副画素８Ｒ、Ｇ副画素８Ｇ、Ｂ副画素８Ｂ）を最小階調値に対応する駆動信号で駆動した状態で表示パネル１に表示される表示色の、ｘｙＹ表色系における刺激値Ｙ及び色度座標（ｘ，ｙ）を含むデータとして取得される。
【００９７】
一実施形態では、中間階調値ｍｉｄの色Ｆの輝度座標データの取得において、色調整ソフトウェア１３が、画像処理ＩＰコア２２にソースドライバ回路２３に供給される処理後画像データとして全ての画素１０についてＦ副画素８Ｆの階調値が中間階調値ｍｉｄでありＲ副画素８Ｒ、Ｇ副画素８Ｇ、Ｂ副画素８Ｂの階調値が最小階調値である画像データを供給するように指示する制御データを表示ドライバ２に送信する。ソースドライバ回路２３がこのように生成された処理後画像データに応じて表示パネル１を駆動している間に、色調整ソフトウェア１３は、輝度計１１を制御して表示パネル１に表示されている表示色の輝度座標データを測定する。このようにして取得された輝度座標データが、中間階調値ｍｉｄの色Ｆの輝度座標データである。
【００９８】
続いて、表示パネル１について、（Ｆ副画素８Ｆを用いずに）Ｒ副画素８Ｒ、Ｇ副画素８Ｇ及びＢ副画素８Ｂのみを用いて画像を表示した場合の表示パネル１の表示特性を表すＲＧＢ−ＸＹＺ変換マトリクスＭ及びその逆行列であるＸＹＺ−ＲＧＢ変換マトリクスＭ−１が算出される（ステップＳ１３）。ＲＧＢ−ＸＹＺ変換マトリクスＭ及びＸＹＺ−ＲＧＢ変換マトリクスＭ−１の算出は、上述のステップＳ０２と同様にして行われる。ＲＧＢ−ＸＹＺ変換マトリクスは、上記式（１ａ）に従って算出され、ＸＹＺ−ＲＧＢ変換マトリクスＭ−１は、上記式（２）に従って算出される。
【００９９】
更に、最大階調値の色Ｆの輝度座標データ（ＦＹｍａｘ，Ｆｘｍａｘ，Ｆｙｍａｘ）とＸＹＺ−ＲＧＢ変換マトリクスＭ−１とに基づいて、最大階調値の色ＦのＲＧＢデータ（ＦＲｍａｘ，ＦＧｍａｘ，ＦＢｍａｘ）が算出され、更に、中間階調値ｍｉｄの色Ｆの輝度座標データ（ＦＹｍｉｄ，Ｆｘｍｉｄ，Ｆｙｍｉｄ）とＸＹＺ−ＲＧＢ変換マトリクスＭ−１とに基づいて、中間階調値ｍｉｄの色ＦのＲＧＢデータ（ＦＲｍｉｄ，ＦＧｍｉｄ，ＦＢｍｉｄ）が算出される（ステップＳ１４）。ここで、最大階調値の色ＦのＲＧＢデータ（ＦＲｍａｘ，ＦＧｍａｘ，ＦＢｍａｘ）は、表示パネル１のＦ副画素８Ｆを最大階調値に対応する駆動信号で駆動し、他の副画素（Ｒ副画素８Ｒ、Ｇ副画素８Ｇ、Ｂ副画素８Ｂ）を最小階調値に対応する駆動信号で駆動した状態で表示パネル１に表示される表示色の、原色Ｒの成分、原色Ｇの成分、及び、原色Ｂの成分の比率を示すデータである。また、中間階調値ｍｉｄの色ＦのＲＧＢデータ（ＦＲｍｉｄ，ＦＧｍｉｄ，ＦＢｍｉｄ）は、表示パネル１のＦ副画素８Ｆを中間階調値ｍｉｄに対応する駆動信号で駆動し、他の副画素（Ｒ副画素８Ｒ、Ｇ副画素８Ｇ、Ｂ副画素８Ｂ）を最小階調値に対応する駆動信号で駆動した状態で表示パネル１に表示される表示色の、原色Ｒの成分、原色Ｇの成分、及び、原色Ｂの成分の比率を示すデータである。
【０１００】
より具体的には、最大階調値の色ＦのＲＧＢデータ（ＦＲｍａｘ，ＦＧｍａｘ，ＦＢｍａｘ）は、下記のようにして算出される。最大階調値の色Ｆの輝度座標データ（ＦＹｍａｘ，Ｆｘｍａｘ，Ｆｙｍａｘ）が、下記（７ａ）、（７ｂ）に従ってＸＹＺ表色系の色座標データ（ＦＸ，ＦＹ，ＦＺ）に変換される。
ＦＸｍａｘ＝ＦＹｍａｘ×Ｆｘｍａｘ／Ｆｙｍａｘ                      ・・・（７ａ）
ＦＺｍａｘ＝ＦＹｍａｘ×（１−Ｆｘｍａｘ−Ｆｙｍａｘ）／Ｆｙｍａｘ    ・・・（７ｂ）
ＸＹＺ表色系の色座標データのＦＹｍａｘとしては、輝度座標データの刺激値ＦＹｍａｘが、そのまま用いられる。
【０１０１】
更に、色座標データ（ＦＸｍａｘ，ＦＹｍａｘ，ＦＺｍａｘ）にＸＹＺ−ＲＧＢ変換マトリクスを適用してＸＹＺ−ＲＧＢ変換を行うことにより、最大階調値の色ＦのＲＧＢデータ（ＦＲｍａｘ，ＦＧｍａｘ，ＦＢｍａｘ）が算出される。最大階調値の色ＦのＲＧＢデータ（ＦＲｍａｘ，ＦＧｍａｘ，ＦＢｍａｘ）は、下記式（８）のように表される：
【数８】
2019003128.tif 000010
【０１０２】
中間階調値ｍｉｄの色ＦのＲＧＢデータ（ＦＲｍｉｄ，ＦＧｍｉｄ，ＦＢｍｉｄ）も同様にして算出される。詳細には、中間階調値ｍｉｄの色Ｆの輝度座標データ（ＦＹｍｉｄ，Ｆｘｍｉｄ，Ｆｙｍｉｄ）が、下記（９ａ）、（９ｂ）に従ってＸＹＺ表色系の色座標データ（ＦＸｍｉｄ，ＦＹｍｉｄ，ＦＺｍｉｄ）に変換される。
ＦＸｍｉｄ＝ＦＹｍｉｄ×Ｆｘｍｉｄ／Ｆｙｍｉｄ                      ・・・（９ａ）
ＦＺｍｉｄ＝ＦＹｍｉｄ×（１−Ｆｘｍｉｄ−Ｆｙｍｉｄ）／Ｆｙｍｉｄ    ・・・（９ｂ）
ＸＹＺ表色系の色座標データのＦＹｍｉｄとしては、輝度座標データの刺激値ＦＹｍｉｄが、そのまま用いられる。
【０１０３】
更に、色座標データ（ＦＸｍｉｄ，ＦＹｍｉｄ，ＦＺｍｉｄ）にＸＹＺ−ＲＧＢ変換マトリクスを適用してＸＹＺ−ＲＧＢ変換を行うことにより、中間階調値ｍｉｄの色ＦのＲＧＢデータ（ＦＲｍｉｄ，ＦＧｍｉｄ，ＦＢｍｉｄ）が算出される。中間階調値ｍｉｄの色ＦのＲＧＢデータ（ＦＲｍｉｄ，ＦＧｍｉｄ，ＦＢｍｉｄ）は、下記式（１０）のように表される：
【数９】
2019003128.tif 000011
【０１０４】
このようにして算出された最大階調値の色ＦのＲＧＢデータ（ＦＲｍａｘ，ＦＧｍａｘ，ＦＢｍａｘ）及び中間階調値ｍｉｄの色ＦのＲＧＢデータ（ＦＲｍｉｄ，ＦＧｍｉｄ，ＦＢｍｉｄ）を用いて色補正パラメータの算出が行われる（ステップＳ１５〜ステップＳ２１）
【０１０５】
まず、適宜の手法により、色補正パラメータが初期的に選択される（ステップＳ１５）。一実施形態では、演算装置１２の記憶装置１５に予め用意された色補正パラメータが選択される。後に行われるステップにおいて、色補正パラメータが適正でない場合には色補正パラメータの調整が行われるので、ステップＳ１５においては、適宜に色補正パラメータを選択してよい。
【０１０６】
続いて、選択された色補正パラメータが適正であるか否かが判断される（ステップＳ１６〜Ｓ２０）。
【０１０７】
詳細には、校正対象ＲＧＢデータ（Ｒｉ，Ｇｉ，Ｂｉ）に対してステップＳ１５で選択された色補正パラメータに基づいて色補正処理が行われて色補正後ＲＧＢデータ（Ｒｃ，Ｇｃ，Ｂｃ）が算出される（ステップＳ１６）。色補正後ＲＧＢデータ（Ｒｃ，Ｇｃ，Ｂｃ）の算出は、上述のステップＳ０５と同様にして行われる。
【０１０８】
更に、色補正後ＲＧＢデータ（Ｒｃ，Ｇｃ，Ｂｃ）に対して色追加処理が行われてＦＲＧＢデータ（Ｆａ，Ｒａ，Ｇａ，Ｂａ）が算出される（ステップＳ１７）。ＦＲＧＢデータ（Ｆａ，Ｒａ，Ｇａ，Ｂａ）の算出は、上述のステップＳ０６と同様にして行われる。
【０１０９】
更に、ステップＳ１７において算出されたＦＲＧＢデータのＦ階調値Ｆａと、ステップＳ１４において算出された最大階調値の色ＦのＲＧＢデータ（ＦＲｍａｘ，ＦＧｍａｘ，ＦＢｍａｘ）及び中間階調値ｍｉｄの色ＦのＲＧＢデータ（ＦＲｍｉｄ，ＦＧｍｉｄ，ＦＢｍｉｄ）とから、Ｆ階調値Ｆａの色ＦのＲＧＢデータ（ＦＲｉｎｔｐ，ＦＧｉｎｔｐ，ＦＢｉｎｔｐ）が算出される（ステップＳ１８）。Ｆ階調値Ｆａの色ＦのＲＧＢデータ（ＦＲｉｎｔｐ，ＦＧｉｎｔｐ，ＦＢｉｎｔｐ）とは、Ｆ階調値Ｆａに対応する駆動信号でＦ副画素８Ｆが駆動されたときにＦ副画素８Ｆによって表示される表示色の原色Ｒ、原色Ｇ、原色Ｂの輝度成分を示すデータであり、下記式（１１ａ）〜（１１ｃ）に従って算出される。
【数１０】
2019003128.tif 000012
ＦＲＧＢデータ（Ｆａ，Ｒａ，Ｇａ，Ｂａ）においてＲ副画素８Ｒ、Ｇ副画素８Ｇ、Ｂ副画素８Ｂ、Ｆ副画素８Ｆの階調値が８ビットで表される場合、ＦＲＧＢＭＡＸは“２５５”である。この場合、式（１１ａ）〜（１１ｃ）は、下記式（１１ａ’）〜（１１ｃ’）に書き直すことができる：
【数１１】
2019003128.tif 000013
【０１１０】
続いて、ステップＳ１８で算出されたＦ階調値Ｆａの色ＦのＲＧＢデータ（ＦＲｉｎｔｐ，ＦＧｉｎｔｐ，ＦＢｉｎｔｐ）を用いて、ＦＲＧＢデータ（Ｆａ，Ｒａ，Ｇａ，Ｂａ）からＲＧＢ輝度成分データ（Ｒｒ，Ｇｒ，Ｂｒ）が計算される（ステップＳ１９）。ＲＧＢ輝度成分データ（Ｒｒ，Ｇｒ，Ｂｒ）は、ＦＲＧＢデータ（Ｆａ，Ｒａ，Ｇａ，Ｂａ）に基づいて表示パネル１を駆動したときに表示パネル１に表示される色の原色Ｒ、原色Ｇ、原色Ｂの輝度成分を示すデータであり、本実施形態では、ＲＧＢ輝度成分データ（Ｒｒ，Ｇｒ，Ｂｒ）が、下記式（１２ａ）〜（１２ｃ）に従って算出される：
【数１２】
2019003128.tif 000014
ここで、γは、表示装置１００に設定されるガンマ値である。
【０１１１】
ＦＲＧＢデータ（Ｆａ，Ｒａ，Ｇａ，Ｂａ）においてＲ副画素８Ｒ、Ｇ副画素８Ｇ、Ｂ副画素８Ｂ、Ｆ副画素８Ｆの階調値が８ビットで表される場合、ＦＲＧＢＭＡＸは“２５５”である。この場合、式（１２ａ）〜（１２ｃ）は、下記式（１２ａ’）〜（１２ｃ’）に書き直すことができる：
【数１３】
2019003128.tif 000015
【０１１２】
算出されたＲＧＢ輝度成分データ（Ｒｒ，Ｇｒ，Ｂｒ）に基づいてステップＳ１５で選択された色補正パラメータが適正か否かが判断される（ステップＳ２０）。上述のように、ＲＧＢ輝度成分データ（Ｒｒ，Ｇｒ，Ｂｒ）は、ＦＲＧＢデータ（Ｆａ，Ｒａ，Ｇａ，Ｂａ）に基づいて表示パネル１を駆動したときに表示パネル１に表示される色の原色Ｒ、原色Ｇ、原色Ｂの輝度成分を示している。よって、ＲＧＢ輝度成分データ（Ｒｒ，Ｇｒ，Ｂｒ）と目標ＲＧＢデータ（Ｒｔ，Ｇｔ，Ｂｔ）とに基づいて色補正パラメータが適正か否かを判断することができる。ＲＧＢ輝度成分データ（Ｒｒ，Ｇｒ，Ｂｒ）に基づく色補正パラメータの適正性の判断は、上記のステップＳ０８と同様にして行われる。
【０１１３】
ステップＳ２０において色補正パラメータが適正でないと判断された場合、色補正パラメータが調整され（ステップＳ２１）、更に、上述した手順により、調節された色補正パラメータが適正か否かが、再度に判断される（ステップＳ１６〜Ｓ２０）。調整後の色補正パラメータに基づいて校正対象ＲＧＢデータ（Ｒｉ，Ｇｉ，Ｂｉ）に対して色補正処理が行われて色補正後ＲＧＢデータ（Ｒｃ，Ｇｃ，Ｂｃ）が算出され（ステップＳ１６）、更に、色補正後ＲＧＢデータ（Ｒｃ，Ｇｃ，Ｂｃ）に対して色追加処理が行われてＦＲＧＢデータ（Ｆａ，Ｒａ，Ｇａ，Ｂａ）が算出される（ステップＳ１７）。更に、ステップＳ１７において算出されたＦＲＧＢデータのＦ階調値Ｆａと最大階調値の色ＦのＲＧＢデータ（ＦＲｍａｘ，ＦＧｍａｘ，ＦＢｍａｘ）と中間階調値ｍｉｄの色ＦのＲＧＢデータ（ＦＲｍｉｄ，ＦＧｍｉｄ，ＦＢｍｉｄ）とから、Ｆ階調値Ｆａの色ＦのＲＧＢデータ（ＦＲｉｎｔｐ，ＦＧｉｎｔｐ，ＦＢｉｎｔｐ）が算出される（ステップＳ１８）。更に、ステップＳ１８で算出されたＦ階調値Ｆａの色ＦのＲＧＢデータ（ＦＲｉｎｔｐ，ＦＧｉｎｔｐ，ＦＢｉｎｔｐ）を用いて、ＦＲＧＢデータ（Ｆａ，Ｒａ，Ｇａ，Ｂａ）からＲＧＢ輝度成分データ（Ｒｒ，Ｇｒ，Ｂｒ）が算出され、算出されたＲＧＢ輝度成分データ（Ｒｒ，Ｇｒ，Ｂｒ）に基づいて調節後の色補正パラメータが適正か否かが判断される（ステップＳ２０）。色補正パラメータの調整と色補正パラメータの適正性の判断は、色補正パラメータが適正であると判断されるまで繰り返して行われる。
【０１１４】
色補正パラメータが適正であると判断された場合、該色補正パラメータが演算装置１２から表示ドライバ２に送信され、表示ドライバ２の不揮発性メモリ２６の色補正パラメータ格納領域３１に書き込まれる（ステップＳ１０）。以上で色補正パラメータの算出、及び、算出された色補正パラメータの表示ドライバ２への設定が完了する。
【０１１５】
図１０に示されている色補正パラメータの算出の手順によれば、色追加処理により色が変化する場合にも、その色の変化を考慮して所望の色調整（例えば、所望の色域調整）を実現することができる。また、図１０に示されている手順では、最大階調値の色Ｆの輝度座標データ（ＦＹｍａｘ，Ｆｘｍａｘ，Ｆｙｍａｘ）に加えて中間階調値ｍｉｄの色Ｆの輝度座標データ（ＦＹｍｉｄ，Ｆｘｍｉｄ，Ｆｙｍｉｄ）を用いて色補正パラメータの適正さが判断されているため、色補正パラメータの適正さをより精度よく判断することができる。
【０１１６】
上述の実施形態においては、色補正回路２８に設定すべき色補正パラメータが、色調整装置２００の演算装置１２によって算出され、算出された色補正パラメータが色調整装置２００から表示ドライバ２の不揮発性メモリ２６に書き込まれているが、色補正パラメータの算出及び設定の手法は、様々に変更され得る。
【０１１７】
図１１、図１２は、他の実施形態における輝度座標測定装置２００Ａ及び表示装置１００の構成を概略的に示すブロック図である。図１１を参照して、本実施形態においては、色調整装置２００の代わりに、輝度座標データの測定を行う輝度座標測定装置２００Ａが用いられる。また、表示ドライバ２の不揮発性メモリ２６には、色補正パラメータを格納する色補正パラメータ格納領域３１に加え、輝度座標データを格納する輝度座標データ格納領域３２が用意される。
【０１１８】
輝度座標測定装置２００Ａは、輝度計１１と演算装置１２とを備えており、演算装置１２には輝度座標データ測定ソフトウェア１８がインストールされている。輝度座標データの測定は、演算装置１２が輝度座標データ測定ソフトウェア１８を実行することによって実行される。図８の手順で色補正パラメータが算出される場合、最大階調値の原色Ｒ、原色Ｇ、原色Ｂ、色Ｆの輝度座標データ及びホワイトポイント（ＷＰ）の輝度座標データが測定される。図１０の手順で色補正パラメータが算出される場合には、加えて、中間階調値ｍｉｄの色Ｆの輝度座標データが測定される。測定された輝度座標データは、表示ドライバ２の輝度座標データ格納領域３２に書き込まれる。
【０１１９】
図１２に図示されているように、本実施形態では、表示装置１００の実装において、ホスト３と表示装置１００とによって表示システムが構成される。この表示システムにおいて、色補正回路２８に設定すべき色補正パラメータが、ホスト３によって算出される。ホスト３には色調整ソフトウェア４１がインストールされており、ホスト３が色調整ソフトウェア４１を実行することによって色補正パラメータが算出される。
【０１２０】
当該表示システムが起動されると、図１２に図示されているように、不揮発性メモリ２６の輝度座標データ格納領域３２に書き込まれている輝度座標データが読み出されて表示ドライバ２からホスト３に転送される。ホスト３は、読み出された輝度座標データから、上述された手順で色補正回路２８に設定すべき色補正パラメータを算出する。なお、この構成では、色補正パラメータに用いられる目標ＲＧＢデータ（Ｒｔ，Ｇｔ，Ｂｔ）は、ホスト３の記憶装置に格納される。ホスト３によって算出された色補正パラメータは、表示ドライバ２に転送され、表示ドライバ２の不揮発性メモリ２６の色補正パラメータ格納領域３１に書き込まれる。
【０１２１】
表示ドライバ２の実動作においては、図１３に図示されているように、色補正パラメータ格納領域３１からレジスタ回路２５に色補正パラメータが読み出され、更に、読み出された色補正パラメータがレジスタ回路２５から色補正回路２８に供給される。ホスト３は、表示ドライバ２に画像データを供給する。色補正回路２８は、ホスト３から供給された画像データに対して、レジスタ回路２５から受け取った色補正パラメータに基づいて色補正処理を行う。
【０１２２】
このような構成は、表示装置１００のユーザが所望の色調整を行うために有用である。表示装置１００の製造者は、輝度座標測定装置２００Ａによって測定した輝度座標データを表示ドライバ２の不揮発性メモリ２６に書き込む。表示装置１００のユーザは、ホスト３によって所望の色調整ソフトウェア４１を実行することにより、所望の色調整を精度よく実行することができる。
【０１２３】
図１４、図１５は、更に他の実施形態における輝度座標測定装置２００Ａ及び表示装置１００の構成を概略的に示すブロック図である。図１４に図示されているように、本実施形態では、表示ドライバ２の不揮発性メモリ２６が、色補正パラメータを格納する色補正パラメータ格納領域３１と汎用メモリ領域３３とを備えている。輝度座標測定装置２００Ａによって測定された輝度座標データは、表示ドライバ２の汎用メモリ領域３３に書き込まれる。
【０１２４】
図１５に図示されているように、本実施形態においても、表示装置１００の実装において、ホスト３と表示装置１００とで表示システムが構成される。該表示システムにおいては、色補正パラメータを算出する場合、汎用メモリ領域３３に書き込まれている輝度座標データが読み出されて表示ドライバ２からホスト３に転送される。ホスト３には、色調整ソフトウェア４１がインストールされており、ホスト３は、読み出された輝度座標データから、上述された手順で色補正回路２８に設定すべき色補正パラメータを算出する。ホスト３によって算出された色補正パラメータは、表示ドライバ２に転送され、表示ドライバ２の不揮発性メモリ２６の色補正パラメータ格納領域３１に書き込まれる。これ以後、輝度座標データが書き込まれていた汎用メモリ領域３３が、輝度座標データの保持以外の用途に開放される。
【０１２５】
このような構成は、表示ドライバ２の不揮発性メモリ２６を有効利用するために有用である。輝度座標データは、色補正回路２８に設定する色補正パラメータの算出が完了した後は必ずしも保持する必要がない。色補正回路２８に設定する色補正パラメータの算出が一度しか行われない場合には、色補正パラメータの算出が完了した後、輝度座標データを記憶している汎用メモリ領域３３を輝度座標データの保持以外の用途に用いることで、不揮発性メモリ２６を有効利用することができる。なお、色調整、即ち、色補正回路２８の色補正パラメータの算出を所望のタイミングで実行できるようにするためには、汎用メモリ領域３３に輝度座標データを継続して保持しておいてもよい。
【０１２６】
図１６、図１７は、更に他の実施形態における輝度座標測定装置２００Ａ及び表示装置１００の構成を概略的に示すブロック図である。図１６に図示されているように、本実施形態では、表示ドライバ２の不揮発性メモリ２６が輝度座標データ／色補正パラメータ格納領域３４を備えている。輝度座標測定装置２００Ａによって測定された輝度座標データは、表示ドライバ２の輝度座標データ／色補正パラメータ格納領域３４に書き込まれる。
【０１２７】
図１７に図示されているように、本実施形態においても、表示装置１００の実装において、ホスト３と表示装置１００とで表示システムが構成される。本実施形態では、ホスト３が、輝度座標データ格納メモリ４２を備えている。
【０１２８】
該表示システムにおいては、色補正パラメータを算出する場合、輝度座標データ／色補正パラメータ格納領域３４に書き込まれている輝度座標データが読み出されて表示ドライバ２からホスト３に転送され、ホスト３の輝度座標データ格納メモリ４２に書き込まれる。ホスト３には、色調整ソフトウェア４１がインストールされており、ホスト３は、輝度座標データ格納メモリ４２に格納された輝度座標データから、上述された手順で色補正回路２８に設定すべき色補正パラメータを算出する。ホスト３によって算出された色補正パラメータは、表示ドライバ２に転送され、表示ドライバ２の輝度座標データ／色補正パラメータ格納領域３４に書き込まれる。色補正パラメータの書き込みにおいては、輝度座標データ／色補正パラメータ格納領域３４に格納されていた輝度座標データは、色補正パラメータによって上書きされる。このような構成によれば、表示ドライバ２の不揮発性メモリ２６の容量を低減することができる。
【０１２９】
ホスト３の輝度座標データ格納メモリ４２に格納された輝度座標データは、色補正パラメータの算出の後、保持されていてもよいし、破棄されてもよい。色調整、即ち、色補正回路２８に設定する色補正パラメータの算出を所望のタイミングで実行できるようにする場合には、輝度座標データが、輝度座標データ格納メモリ４２に保持され続ける。一方、色補正パラメータの算出が一度だけ行われる場合、輝度座標データは、色補正パラメータの算出の後、破棄される。この場合、輝度座標データ格納メモリ４２として汎用メモリが用いられてもよい。色補正パラメータの算出の後、汎用メモリは、輝度座標データの保持以外の用途に用いてもよい。このような構成は、メモリ資源の有効利用のために好ましい。
【０１３０】
以上には、本発明の実施形態が具体的に記述されているが、本発明は、上記の実施形態に限定されると解釈してはならない。本発明が様々な変更と共に実施され得ることは、当業者には自明的であろう。特に、本発明は、表示パネルを駆動する専用の半導体集積回路として構成された表示ドライバのみならず、タッチパネルのタッチ検出のための動作を行うタッチパネルコントローラがモノリシックに（即ち、同一チップに）集積化された表示ドライバを含むものとして解釈すべきであることに留意されたい。
【符号の説明】
【０１３１】
１００  ：表示装置
２００  ：色調整装置
２００Ａ：輝度座標測定装置
１      ：表示パネル
２      ：表示ドライバ
３      ：ホスト
４      ：アクティブ領域
５      ：ゲートドライバ回路
６      ：ゲート線
７      ：ソース線
８      ：画素回路
８Ｆ    ：Ｆ副画素
８Ｒ    ：Ｒ副画素
８Ｇ    ：Ｇ副画素
８Ｂ    ：Ｂ副画素
１０    ：画素
１１    ：輝度計
１２    ：演算装置
１３    ：色調整ソフトウェア
１４    ：インターフェース
１５    ：記憶装置
１６    ：プロセッサ
１７    ：インターフェース
１８    ：輝度座標データ測定ソフトウェア
２１    ：インターフェース回路
２２    ：画像処理ＩＰコア
２３    ：ソースドライバ回路
２４    ：パネルインターフェース回路
２５    ：レジスタ回路
２６    ：不揮発性メモリ
２７    ：タイミングコントローラ
２８    ：色補正回路
２９    ：色追加処理回路
３１    ：色補正パラメータ格納領域
３２    ：輝度座標データ格納領域
３３    ：汎用メモリ領域
３４    ：色補正パラメータ格納領域
４１    ：色調整ソフトウェア
４２    ：輝度座標データ格納メモリ
【図１】
2019003128.tif 000019
【図２】
2019003128.tif 000020
【図３】
2019003128.tif 000021
【図４】
2019003128.tif 000022
【図５】
2019003128.tif 000023
【図６】
2019003128.tif 000024
【図７】
2019003128.tif 000025
【図８】
2019003128.tif 000026
【図９】
2019003128.tif 000027
【図１０】
2019003128.tif 000028
【図１１】
2019003128.tif 000029
【図１２】
2019003128.tif 000030
【図１３】
2019003128.tif 000031
【図１４】
2019003128.tif 000032
【図１５】
2019003128.tif 000033
【図１６】
2019003128.tif 000034
【図１７】
2019003128.tif 000035